(57)【特許請求の範囲】
【請求項１】
ダウンリンク制御に使用される少なくとも2つのレベルの専用チャネルを含む通信システムにおいて実行されるスケジューリング情報送信方法であって、前記少なくとも2つのレベルの前記専用チャネルが、異なる時間周波数リソースに対応し、前記方法が、
レベル1の専用チャネルおよびレベル2の専用チャネルをターゲット端末デバイスに割り当てるステップと、
予め設定された第1の時間周波数リソースを使用して前記レベル1の専用チャネルの指示情報を送信するステップと、
前記レベル1の専用チャネルを使用して第3の時間周波数リソースの指示情報を前記ターゲット端末デバイスに送信し、前記第3の時間周波数リソースを使用して前記レベル2の専用チャネルの指示情報を前記ターゲット端末デバイスに送信するステップであって、前記第3の時間周波数リソースが、物理ダウンリンクデータチャネルPDSCHの時間周波数リソースに属する、ステップと、
前記レベル2の専用チャネルを使用して、前記ターゲット端末デバイスの専用スケジューリング情報を前記ターゲット端末デバイスに送信するステップと
を含む、方法。
【請求項２】
前記レベル1の専用チャネルの時間周波数リソースまたは前記レベル2の専用チャネルの時間周波数リソースが、同じ送信時間間隔TTIの最初のK個のシンボルを含み、K≧1である、請求項1に記載の方法。
【請求項３】
前記レベル1の専用チャネルの前記時間周波数リソースまたは前記レベル2の専用チャネルの前記時間周波数リソースが、同じTTIのM個のリソース単位に属し、M≧1であり、1つのリソース単位が、時間領域においてL個のシンボルを占有し、周波数領域においてN個のサブキャリアを占有し、L≧1であり、N≧1である、請求項1または2に記載の方法。
【請求項４】
前記レベル１の専用チャネルもしくは前記レベル２の専用チャネルがシンボルにおいて搬送され、リソース単位の12の連続的なサブキャリアの3つが基準信号と２つのサブキャリアの間隔を搬送するために用いられ、互いに隣接するものであり、前記基準信号の搬送のためのものは３つのサブキャリアであり、前記基準信号の搬送のための前記３つのサブキャリアを除く他のサブキャリアは前記レベル１の専用チャネルにおけるもしくは前記レベル２の専用チャネルの搬送のために用いられる、請求項１から３の何れか一項に記載の方法。
【請求項５】
ダウンリンク制御に使用される少なくとも2つのレベルの専用チャネルを含む通信システムにおいて実行されるスケジューリング情報送信方法であって、前記少なくとも2つのレベルの前記専用チャネルが、異なる時間周波数リソースに対応し、前記方法が、
ネットワークデバイスからレベル1の専用チャネルの指示情報を、予め設定された第1の時間周波数リソースを使用して受信するステップと、
前記レベル1の専用チャネルの前記指示情報に従って前記レベル1の専用チャネルを決定するステップと、
前記ネットワークデバイスから第3の時間周波数リソースの指示情報を、前記レベル1の専用チャネルを使用して受信し、前記ネットワークデバイスからレベル2の専用チャネルの指示情報を、前記第3の時間周波数リソースを使用して受信するステップであって、前記第3の時間周波数リソースが、物理ダウンリンクデータチャネルPDSCHの時間周波数リソースに属する、ステップと、
前記レベル2の専用チャネルの前記指示情報に従って前記レベル2の専用チャネルを決定するステップと、
前記ネットワークデバイスから端末デバイスの専用スケジューリング情報を、前記レベル2の専用チャネルを使用して受信するステップと
を含む、方法。
【請求項６】
前記レベル1の専用チャネルの時間周波数リソースまたは前記レベル2の専用チャネルの時間周波数リソースが、同じ送信時間間隔TTIの最初のK個のシンボルを含み、K≧1である、請求項5に記載の方法。
【請求項７】
ダウンリンク制御のための前記レベル1のチャネルの前記時間周波数リソースが、前記端末デバイスを含む少なくとも１つの端末デバイスによって検出される、請求項5または6に記載の方法。
【請求項８】
前記レベル１の専用チャネルもしくは前記レベル２の専用チャネルがシンボルにおいて搬送され、リソース単位の12の連続的なサブキャリアの3つが基準信号と２つのサブキャリアの間隔を搬送するために用いられ、互いに隣接するものであり、前記基準信号の搬送のためのものは３つのサブキャリアであり、前記基準信号の搬送のための前記３つのサブキャリアを除く他のサブキャリアは前記レベル１の専用チャネルにおけるもしくは前記レベル２の専用チャネルの搬送のために用いられる、請求項5から7の何れか一項に記載の方法。
【請求項９】
前記レベル1の専用チャネルの前記時間周波数リソースが、少なくとも2つのリソース単位に属し、
前記レベル1の専用チャネルの前記時間周波数リソースが属する前記少なくとも2つのリソース単位が不連続であるか、または
前記レベル1の専用チャネルの前記時間周波数リソースが属する前記少なくとも2つのリソース単位が連続的であり、第1のリソース単位に属する、前記レベル1の専用チャネルの時間周波数リソースと、第2のリソース単位に属する、前記レベル1の専用チャネルの時間周波数リソースとが不連続である、請求項5から8のいずれか一項に記載の方法。
【請求項１０】
周波数領域において、前記レベル1の専用チャネルの前記時間周波数リソースが、予め設定された帯域幅の2つの端に配置される、請求項5から9のいずれか一項に記載の方法。
【請求項１１】
前記レベル1の専用チャネルまたは前記レベル2の専用チャネルが、第1のTTIに少なくとも1つの制御チャネル要素を含み、前記制御チャネル要素が、ダウンリンク制御情報を搬送するために使用される、請求項5から10のいずれか一項に記載の方法。
【請求項１２】
前記レベル1の専用チャネルの前記時間周波数リソースまたは前記レベル2の専用チャネルの前記時間周波数リソースが、前記第1のTTIにおいて集中的または分散的に構成され、
分散構成が、前記レベル1の専用チャネルに割り当てられた、前記第1のTTIのリソース単位が前記レベル1の専用チャネルのみを搬送するために使用されるときに、もしくは前記レベル2の専用チャネルに割り当てられた、前記第1のTTIのリソース単位が前記レベル2の専用チャネルのみを搬送するために使用されるときに、前記制御チャネル要素の各々の時間周波数リソースが、前記第1のTTIの少なくとも2つのリソース単位に属するか、または
前記レベル1の専用チャネルに割り当てられた、前記第1のTTIのリソース単位が前記レベル1の専用チャネルおよび別のチャネルを搬送するために使用されるときに、もしくは前記レベル2の専用チャネルに割り当てられた、前記第1のTTIのリソース単位が前記レベル2の専用チャネルおよび別のチャネルを搬送するために使用されるときに、前記制御チャネル要素の各々に含まれるリソース要素REが前記周波数領域において不連続であることを意味し、
集中構成が、前記レベル1の専用チャネルに割り当てられた、前記第1のTTIのリソース単位が前記レベル1の専用チャネルのみを搬送するために使用されるときに、もしくは前記レベル2の専用チャネルに割り当てられた、前記第1のTTIのリソース単位が前記レベル2の専用チャネルのみを搬送するために使用されるときに、前記制御チャネル要素の各々の時間周波数リソースが、前記第1のTTIの同じリソース単位に属するか、または
前記レベル1の専用チャネルに割り当てられた、前記第1のTTIのリソース単位が前記レベル1の専用チャネルおよび別のチャネルを搬送するために使用されるときに、もしくは前記レベル2の専用チャネルに割り当てられた、前記第1のTTIのリソース単位が前記レベル2の専用チャネルおよび別のチャネルを搬送するために使用されるときに、前記制御チャネル要素の各々に含まれるREが前記周波数領域において連続的であることを意味する、
請求項11に記載の方法。
【請求項１３】
第1の構成パターンが、第2の構成パターンと同じであり、
前記第1の構成パターンが、基準信号を送信するために使用される、前記レベル1の専用チャネルの前記制御チャネル要素の各々の時間周波数リソースの構成パターンであり、
前記第2の構成パターンが、基準信号を送信するために使用される、前記レベル2の専用チャネルの前記制御チャネル要素の各々の時間周波数リソースの構成パターンである、
請求項11または12に記載の方法。
【請求項１４】
第3の構成パターンが、第4の構成パターンと異なり、
前記第3の構成パターンが、基準信号を送信するために使用される、前記レベル2の専用チャネルの前記制御チャネル要素の各々の時間周波数リソースの構成パターンであって、前記レベル2の専用チャネルの前記時間周波数リソースが前記第1のTTIに集中的に構成されるときに使用される構成パターンであり、
前記第4の構成パターンが、基準信号を送信するために使用される、前記レベル2の専用チャネルの前記制御チャネル要素の各々の時間周波数リソースの構成パターンであって、前記レベル2の専用チャネルの前記時間周波数リソースが前記第1のTTIに分散的に構成されるときに使用される構成パターンである、
請求項12に記載の方法。
【請求項１５】
請求項1から14の何れか一項に記載のステップを実行するよう構成された、スケジューリング情報送信のための装置。
【請求項１６】
コンピュータによって実行されたときに、請求項1から14の何れか一項に記載のステップが実行される命令語を具備する、コンピュータ可読記録媒体。
【発明の詳細な説明】
【技術分野】
【０００１】
本出願は、2015年11月11日に中国特許庁に提出された「スケジューリング情報送信方法および装置」と題する中国特許出願第201510767014．0号に対する優先権を主張するものであり、また、その全体は参照により本明細書に組み込まれる。
【０００２】
本発明は、通信分野に関し、より具体的には、スケジューリング情報送信方法および装置に関する。
【背景技術】
【０００３】
現在、周知の通信技術において、物理ダウンリンク制御チャネル（英語完全名：Physical Downlink Control Channel、英語略語：PDCCH）は、端末デバイスのスケジューリング情報を搬送するために使用され、物理ダウンリンクデータチャネル（英語完全名：Physical Downlink Shared Channel、英語略語：PDSCH）は、UEのダウンリンクデータを搬送するために使用されている。さらに、PDCCHおよびPDSCHは、時分割多重化によってシステム帯域幅を多重化する。
【０００４】
干渉調整のサポートの制限およびPDCCHのチャネル容量の制限などの問題を解決するために、拡張ダウンリンク制御チャネル（英語完全名：Enhanced Physical Downlink Control Channel、英語略語：EPDCCH）がスケジューリング情報を送信するために使用される解決策が提供されている。
【０００５】
図1に示すように、従来技術では、PDCCHおよびEPDCCHが共存するため、EPDCCHの開始シンボルはPDCCHによって制限され、EPDCCHの使用は、複雑な設計のゆえに影響を受ける。その結果、送信スケジューリングの適時性および柔軟性が影響を受ける。
【発明の概要】
【０００６】
本発明の実施形態は、スケジューリング情報送信の柔軟性を向上させ、システム性能およびユーザ体験を向上させるために、スケジューリング情報送信方法および装置を提供する。
【課題を解決するための手段】
【０００７】
第1の態様によれば、スケジューリング情報送信方法が、提供され、ダウンリンク制御に使用される少なくとも2つのレベルの専用チャネルを含む通信システムにおいて実行され、これらのレベルの専用チャネルは、異なる時間周波数リソースに対応し、専用チャネルは、専用チャネルが割り当てられた端末デバイスによってのみ検出され、本方法は、ネットワークデバイスによって、レベル1の専用チャネルおよびレベル2の専用チャネルをターゲット端末デバイスに割り当てるステップと、ネットワークデバイスによって、予め設定された第1の時間周波数リソースを使用してレベル1の専用チャネルの指示情報を送信するステップと、ネットワークデバイスによって、レベル1の専用チャネルを使用してレベル2の専用チャネルの指示情報をターゲット端末デバイスに送信するステップ、またはネットワークデバイスによって、レベル1の専用チャネルを使用して第3の時間周波数リソースの指示情報をターゲット端末デバイスに送信し、第3の時間周波数リソースを使用してレベル2の専用チャネルの指示情報をターゲット端末デバイスに送信するステップであって、第3の時間周波数リソースが、ダウンリンクデータチャネルPDSCHの時間周波数リソースに属する、ステップと、ネットワークデバイスによって、レベル2の専用チャネルを使用して、ターゲット端末デバイスの専用スケジューリング情報をターゲット端末デバイスに送信するステップとを含む。
【０００８】
第1の態様に関連して、第1の態様の第1の実施態様では、ネットワークデバイスによって、レベル1の専用チャネルおよびレベル2の専用チャネルをターゲット端末デバイスに割り当てるステップは、ターゲット端末デバイスによってアクセスされるサービスの遅延要求に従ってレベル1の専用チャネルまたはレベル2の専用チャネルをターゲット端末デバイスに割り当てるステップを含む。
【０００９】
第1の態様および上記の実施態様に関連して、第1の態様の第2の実施態様では、通信システムは、共通チャネルをさらに含み、共通チャネルは、専用チャネルの時間周波数リソースとは異なる時間周波数リソースを有し、共通チャネルは、通信システムのすべての端末デバイスによって検出され、本方法は、ネットワークデバイスによって、予め設定された第2の時間周波数リソースを使用して共通チャネルの指示情報を送信するステップと、ネットワークデバイスによって、共通チャネルを使用して共通メッセージを送信するステップ、またはネットワークデバイスによって、共通チャネルを使用して第4の時間周波数リソースの指示情報を送信し、第4の時間周波数リソースを使用して共通メッセージを送信するステップであって、第4の時間周波数リソースが、ダウンリンクデータチャネルPDSCHの時間周波数リソースに属する、ステップとをさらに含み、共通メッセージは、ランダムアクセス応答メッセージ、ページングメッセージ、またはシステムメッセージのうちの少なくとも1つを含む。
【００１０】
第2の態様によれば、スケジューリング情報送信方法が、提供され、ダウンリンク制御に使用される少なくとも2つのレベルの専用チャネルを含む通信システムにおいて実行され、これらのレベルの専用チャネルは、異なる時間周波数リソースに対応し、専用チャネルは、専用チャネルが割り当てられた端末デバイスによってのみ検出され、本方法は、ネットワークデバイスによって送信された、レベル1の専用チャネルの指示情報を、ターゲット端末デバイスによって、予め設定された第1の時間周波数リソースを使用して受信するステップと、ターゲット端末デバイスによって、レベル1の専用チャネルの指示情報に従ってレベル1の専用チャネルを決定するステップと、ネットワークデバイスによって送信された、レベル2の専用チャネルの指示情報を、ターゲット端末デバイスによって、レベル1の専用チャネルを使用して受信するステップ、またはターゲット端末デバイスによって、ネットワークデバイスによって送信された、第3の時間周波数リソースの指示情報を、レベル1の専用チャネルを使用して受信し、ネットワークデバイスによって送信された、レベル2の専用チャネルの指示情報を、第3の時間周波数リソースを使用して受信するステップであって、第3の時間周波数リソースが、ダウンリンクデータチャネルPDSCHの時間周波数リソースに属する、ステップと、ターゲット端末デバイスによって、レベル2の専用チャネルの指示情報に従ってレベル2の専用チャネルを決定するステップと、ネットワークデバイスによって送信された、ターゲット端末デバイスの専用スケジューリング情報を、ターゲット端末デバイスによって、レベル2の専用チャネルを使用して受信するステップとを含む。
【００１１】
第2の態様に関連して、第2の態様の第1の実施態様では、レベル1の専用チャネルまたはレベル2の専用チャネルは、ターゲット端末デバイスによってアクセスされるサービスの遅延要求に従って、ネットワークデバイスによって割り当てられる。
【００１２】
第2の態様および上記の実施態様に関連して、第2の態様の第2の実施態様では、通信システムは、共通チャネルをさらに含み、共通チャネルは、専用チャネルの時間周波数リソースとは異なる時間周波数リソースを有し、共通チャネルは、通信システムのすべての端末デバイスによって検出され、本方法は、予め設定された第2の時間周波数リソースを使用してターゲット端末デバイスによって、ネットワークデバイスによって送信された、共通チャネルの指示情報を受信するステップと、共通チャネルを使用してターゲット端末デバイスによって、ネットワークデバイスによって送信された共通メッセージを受信するステップ、または共通チャネルを使用してターゲット端末デバイスによって、ネットワークデバイスによって送信された、第4の時間周波数リソースの指示情報を受信し、第4の時間周波数リソースを使用して、ネットワークデバイスによって送信された共通メッセージを受信するステップであって、第4の時間周波数リソースが、ダウンリンクデータチャネルPDSCHの時間周波数リソースに属する、ステップとをさらに含み、共通メッセージは、ランダムアクセス応答メッセージ、ページングメッセージ、またはシステムメッセージのうちの少なくとも1つを含む。
【００１３】
第3の態様によれば、スケジューリング情報送信装置が、提供され、ダウンリンク制御に使用される少なくとも2つのレベルの専用チャネルを含む通信システムにおいて構成され、これらのレベルの専用チャネルは、異なる時間周波数リソースに対応し、専用チャネルは、専用チャネルが割り当てられた端末デバイスによってのみ検出され、本装置は、レベル1の専用チャネルおよびレベル2の専用チャネルをターゲット端末デバイスに割り当てるように構成される割当ユニットと、送信ユニットであって、予め設定された第1の時間周波数リソースを使用してレベル1の専用チャネルの指示情報を送信し、レベル1の専用チャネルを使用してレベル2の専用チャネルの指示情報をターゲット端末デバイスに送信するか、またはレベル1の専用チャネルを使用して、ダウンリンクデータチャネルPDSCHの時間周波数リソースに属する第3の時間周波数リソースの指示情報をターゲット端末デバイスに送信し、第3の時間周波数リソースを使用してレベル2の専用チャネルの指示情報をターゲット端末デバイスに送信し、レベル2の専用チャネルを使用して、ターゲット端末デバイスの専用スケジューリング情報をターゲット端末デバイスに送信するように構成される送信ユニットと含む。
【００１４】
第3の態様に関連して、第3の態様の第1の実施態様では、割当ユニットは、ターゲット端末デバイスによってアクセスされるサービスの遅延要求に従ってレベル1の専用チャネルまたはレベル2の専用チャネルをターゲット端末デバイスに割り当てるように特に構成される。
【００１５】
第3の態様および上記の実施態様に関連して、第3の態様の第2の実施態様では、通信システムは、共通チャネルをさらに含み、共通チャネルは、専用チャネルの時間周波数リソースとは異なる時間周波数リソースを有し、共通チャネルは、通信システムのすべての端末デバイスによって検出され、送信ユニットは、予め設定された第2の時間周波数リソースを使用して共通チャネルの指示情報を送信し、共通チャネルを使用して共通メッセージを送信するか、または共通チャネルを使用して、ダウンリンクデータチャネルPDSCHの時間周波数リソースに属する第4の時間周波数リソースの指示情報を送信し、第4の時間周波数リソースを使用して共通メッセージを送信するようにさらに構成され、共通メッセージは、ランダムアクセス応答メッセージ、ページングメッセージ、またはシステムメッセージのうちの少なくとも1つを含む。
【００１６】
第4の態様によれば、スケジューリング情報送信装置が、提供され、ダウンリンク制御に使用される少なくとも2つのレベルの専用チャネルを含む通信システムにおいて構成され、これらのレベルの専用チャネルは、異なる時間周波数リソースに対応し、専用チャネルは、専用チャネルが割り当てられた端末デバイスによってのみ検出され、本装置は、ネットワークデバイスによって送信された、レベル1の専用チャネルの指示情報を、予め設定された第1の時間周波数リソースを使用して受信するように構成される受信ユニットと、レベル1の専用チャネルの指示情報に従ってレベル1の専用チャネルを決定するように構成される決定ユニットとを含み、受信ユニットは、ネットワークデバイスによって送信された、レベル2の専用チャネルの指示情報を、レベル1の専用チャネルを使用して受信するようにさらに構成されるか、または、受信ユニットは、ネットワークデバイスによって送信された、第3の時間周波数リソースの指示情報を、レベル1の専用チャネルを使用して受信し、ネットワークデバイスによって送信された、レベル2の専用チャネルの指示情報を、第3の時間周波数リソースを使用して受信するように構成され、第3の時間周波数リソースは、ダウンリンクデータチャネルPDSCHの時間周波数リソースに属し、決定ユニットは、レベル2の専用チャネルの指示情報に従ってレベル2の専用チャネルを決定するようにさらに構成され、受信ユニットは、ネットワークデバイスによって送信された、装置の専用スケジューリング情報を、レベル2の専用チャネルを使用して受信するようにさらに構成される。
【００１７】
第4の態様に関連して、第4の態様の第1の実施態様では、レベル1の専用チャネルまたはレベル2の専用チャネルは、本装置によってアクセスされるサービスの遅延要求に従って、ネットワークデバイスによって割り当てられる。
【００１８】
第4の態様および上記の実施態様に関連して、第4の態様の第2の実施態様では、通信システムは、共通チャネルをさらに含み、共通チャネルは、専用チャネルの時間周波数リソースとは異なる時間周波数リソースを有し、共通チャネルは、通信システムのすべての端末デバイスによって検出され、受信ユニットは、ネットワークデバイスによって送信された、共通チャネルの指示情報を、予め設定された第2の時間周波数リソースを使用して受信するようにさらに構成され、決定ユニットは、共通チャネルの指示情報に従って共通チャネルを決定するようにさらに構成され、および受信ユニットは、ネットワークデバイスによって送信された共通メッセージを、共通チャネルを使用して受信するようにさらに構成されるか、または受信ユニットは、ネットワークデバイスによって送信された、第4の時間周波数リソースの指示情報を、共通チャネルを使用して受信し、ネットワークデバイスによって送信された共通メッセージを、第4の時間周波数リソースを使用して受信するようにさらに構成され、第4の時間周波数リソースは、ダウンリンクデータチャネルPDSCHの時間周波数リソースに属し、共通メッセージは、ランダムアクセス応答メッセージ、ページングメッセージ、またはシステムメッセージのうちの少なくとも1つを含む。
【００１９】
本発明のこの実施形態のスケジューリング情報送信方法および装置によれば、少なくとも2つのレベルの専用チャネルが構成され、端末デバイスに対してリソーススケジューリングを行う必要があるとき、レベル1の専用チャネルの時間周波数リソースの指示情報が、システム情報を送信するために使用される第1の時間周波数リソースを使用して送信され、これにより、レベル2の専用チャネルの時間周波数リソースの指示情報が、レベル1の専用チャネルを使用して端末デバイスに送信され、端末デバイスの専用スケジューリング情報が、レベル2の専用チャネルを使用してさらに送信され得る。したがって、専用スケジューリング情報を送信するプロセスで、レベル1の専用チャネルの時間周波数リソースの指示情報が送信されるときにのみ、システム情報を送信するために使用される時間周波数リソースが占有され、端末デバイスがレベル1の専用チャネルの時間周波数リソースを知った後に、専用スケジューリング情報は、レベル1の専用チャネルおよびレベル2の専用チャネルを使用して任意の時点で配信され得、専用チャネルの開始シンボルは、PDCCHによって制限されない。したがって、スケジューリング情報送信の柔軟性を向上させることができ、システム性能およびユーザ体験を向上させることができる。
【００２０】
本発明の実施形態の技術的解決策をより明確に説明するために、以下では、本発明の実施形態を説明するために必要な添付図面について簡単に説明する。明らかに、以下の説明における添付図面は、本発明の一部の実施形態しか示しておらず、当業者は、創造的な努力なしにこれらの添付図面から他の図面をさらに得ることができる。
【図面の簡単な説明】
【００２１】
【図１】従来技術においてPDCCH、PDSCH、およびEPDCCHによってシステム帯域幅を多重化する方法の概略図である。
【図２】本発明の一実施形態によるスケジューリング情報送信方法の概略フローチャートである。
【図３】本発明の一実施形態による、レベル1の専用チャネル、レベル2の専用チャネル、または共通チャネルの時間周波数リソースの分布方法の一例の概略図である。
【図４】本発明の一実施形態による、レベル1の専用チャネル、レベル2の専用チャネル、または共通チャネルの時間周波数リソースの分布方法の別の例の概略図である。
【図５】本発明の一実施形態による、レベル1の専用チャネル、レベル2の専用チャネル、または共通チャネルの時間周波数リソースの分布方法のさらに別の例の概略図である。
【図６】本発明の一実施形態による、レベル1の専用チャネルまたはレベル2の専用チャネルの時間周波数リソースの分布方法のさらに別の例の概略図である。
【図７】本発明の一実施形態による、レベル1の専用チャネルまたはレベル2の専用チャネルの時間周波数リソースの構成方法の一例の概略図である。
【図８】本発明の一実施形態による、レベル1の専用チャネルまたはレベル2の専用チャネルの時間周波数リソースの構成方法の別の例の概略図である。
【図９】本発明の一実施形態による、レベル1の専用チャネルまたはレベル2の専用チャネルの時間周波数リソースの構成方法のさらに別の例の概略図である。
【図１０】本発明の一実施形態による、レベル1の専用チャネルまたはレベル2の専用チャネルの時間周波数リソースの構成方法のさらに別の例の概略図である。
【図１１】本発明の一実施形態による、レベル1の専用チャネルおよびレベル2の専用チャネルの分布方法のさらに別の例の概略図である。
【図１２】本発明の別の実施形態によるスケジューリング情報送信方法の概略フローチャートである。
【図１３】本発明の一実施形態によるスケジューリング情報送信装置の概略ブロック図である。
【図１４】本発明の別の実施形態によるスケジューリング情報送信装置の概略ブロック図である。
【図１５】本発明の一実施形態によるスケジューリング情報送信デバイスの概略構成図である。
【図１６】本発明の別の実施形態によるスケジューリング情報送信デバイスの概略構成図である。
【発明を実施するための形態】
【００２２】
以下では、本発明の実施形態の添付図面を参照しながら、本発明の実施形態の技術的解決策を明確かつ完全に説明する。明らかに、記載されている実施形態は、本発明の実施形態の一部であり、本発明の実施形態の全部ではない。創造的な努力なしに本発明の実施形態に基づいて当業者によって得られる他のすべての実施形態は、本発明の保護範囲内に含まれるものとする。
【００２３】
この明細書で使用される「コンポーネント」、「モジュール」、および「システム」などの用語は、コンピュータ関連のエンティティ、ハードウェア、ファームウェア、ハードウェアとソフトウェアの組み合わせ、ソフトウェア、または実行中のソフトウェアを示すために使用される。例えば、コンポーネントは、プロセッサ上で動作するプロセス、プロセッサ、オブジェクト、実行可能ファイル、実行スレッド、プログラム、および／またはコンピュータであってもよいが、これらに限定されない。コンピューティングデバイスおよびコンピューティングデバイス上で動作するアプリケーションの両方がコンポーネントであり得る。1つ以上のコンポーネントは、プロセスおよび／または実行スレッド内に存在してもよく、コンポーネントは、1つのコンピュータ上に配置されてもよく、および／または2つ以上のコンピュータ間に分散されてもよい。さらに、これらのコンポーネントは、様々なデータ構造を格納する様々なコンピュータ可読媒体から実行されてもよい。例えば、コンポーネントは、例えば1つ以上のデータパケット（例えば、信号を使用してローカルシステム内で、分散システム内で、および／または他のシステムと相互作用するインターネットなどのネットワークを介して別のコンポーネントと相互作用する2つのコンポーネントからのデータ）を有する信号に従って、ローカルプロセスおよび／またはリモートプロセスを使用することによって通信してもよい。
【００２４】
本発明の実施形態では、コンピュータは、ハードウェア層と、ハードウェア層の上で動作するオペレーティングシステム層と、オペレーティングシステム層の上で動作するアプリケーション層とを含む。ハードウェア層は、CPU、メモリ管理ユニット（英語完全名：Memory Management Unit、英語略語：MMU）、およびメモリ（記憶装置とも呼ばれる）などのハードウェアを含む。オペレーティングシステムは、プロセスを使用してサービス処理を実施する1つ以上のコンピュータオペレーティングシステム、例えばLinux（登録商標）システム、Unixシステム、Androidシステム、iOSシステム、またはWindowsシステムであってもよく、これは本発明では特に限定されない。アプリケーション層は、ブラウザ、アドレス帳、ワードプロセッシングソフトウェア、およびインスタントメッセージングソフトウェアなどのアプリケーションを含む。先に挙げたコンピュータデバイスは、説明のための単なる例であり、これは本発明では特に限定されないことを理解されたい。
【００２５】
本発明の実施形態の解決策は、既存のセルラー通信システム、例えば、グローバル・システム・フォー・モバイル・コミュニケーションズ（英語完全名：Global System for Mobile Communication、英語略語：GSM（登録商標））、広帯域符号分割多元接続（英語完全名：Wideband Code Division Multiple Access、英語略語：WCDMA（登録商標））システム、ロング・ターム・エボリューション（英語完全名：Long Term Evolution、英語略語：LTE）システム、符号分割多元接続（英語完全名：Code Division Multiple Access、英語略語：CDMA）システムなどのシステムに適用され得る。サポートされる通信は、主に音声およびデータ通信である。一般に、従来の基地局によってサポートされる接続の量は限られており、容易に実施される。
【００２６】
任意選択的に、ネットワークデバイスは基地局であり、端末デバイスはユーザ機器である。
【００２７】
本発明では、端末デバイスを参照して実施形態を説明する。端末デバイスは、ユーザ機器（英語完全名：User Equipment、英語略語：UE）、アクセス端末、加入者ユニット、加入者局、移動局、遠隔局、遠隔端末、モバイルデバイス、ユーザ端末、端末、ワイヤレス通信デバイス、ユーザエージェント、またはユーザ装置とも呼ばれ得る。端末デバイスは、ワイヤレス・ローカル・エリア・ネットワーク（英語完全名：Wireless Local AreaNetwork、英語略語：WLAN）における局（英語完全名：STATION、英語頭字語：ST）であってもよいし、携帯電話、コードレス電話、セッション開始プロトコル（英語完全名：Session Initiation Protocol、英語略語：SIP）電話、ワイヤレス・ローカル・ループ（英語完全名Wireless Local Loop、英語略語：WLL）局、パーソナル・デジタル・アシスタント（英語完全名：Personal Digital Assistant、英語略語：PDA）、ワイヤレス通信機能を有するハンドヘルドデバイス、コンピューティングデバイス、またはワイヤレスモデムに接続された別の処理デバイス、車載デバイス、ウェアラブルデバイス、または将来の5Gネットワークの端末デバイスであってもよい。
【００２８】
さらに、本発明では、ネットワークデバイスを参照して実施形態を説明する。ネットワークデバイスは、モバイルデバイスと通信するように構成されたデバイスであってもよい。ネットワークデバイスは、WLANにおけるアクセスポイント（英語完全名：ACCESS POINT、英語略語：AP）であってもよいし、GSM（登録商標）またはCDMAにおけるトランシーバ基地局（英語完全名：Base Transceiver Station、英語略語：BTS）であってもよいし、WCDMA（登録商標）におけるノードB（英語完全名：NodeB、英語略語：NB）であってもよいし、LTEにおける進化型ノードB（英語完全名：Evolutional Node B、英語略語：eNBまたはeNodeB）、中継局、アクセスポイント、車載デバイス、ウェアラブルデバイス、または将来の5Gネットワークのネットワークデバイスであってもよい。
【００２９】
さらに、本発明の態様または特徴は、標準的なプログラミングおよび／またはエンジニアリング技術を使用する方法、装置、または製品として実施され得る。本出願で使用される「製品」という用語は、任意のコンピュータ可読コンポーネント、キャリア、または媒体からアクセスされ得るコンピュータプログラムを包含する。例えば、コンピュータ可読媒体は、磁気記憶コンポーネント（例えば、ハードディスク、フロッピーディスク、または磁気テープ）、光ディスク、例えばコンパクトディスク（英語完全名：Compact Disk、英語略語：CD）またはデジタル多用途ディスク（英語完全名：Digital Versatile Disk、英語略語：DVD）、スマートカード、およびフラッシュメモリコンポーネント（例えば、消去可能プログラマブル読み出し専用メモリ（英語完全名：Erasable Programmable Read−Only Memory、英語略語：EPROM）を含んでもよいが、これらに限定されない。さらに、この明細書で説明される様々な記憶媒体は、情報を格納するように構成された1つ以上のデバイスおよび／または他の機械可読媒体を示し得る。「機械可読媒体」という用語は、無線チャネルならびに命令および／またはデータを格納し、含み、および／または搬送し得る様々な他の媒体を含み得るが、これらに限定されない。
【００３０】
図2は、ネットワークデバイスの観点から説明した、本発明の一実施形態によるスケジューリング情報送信方法100の概略フローチャートである。方法100は、ダウンリンク制御に使用される少なくとも2つのレベルの専用チャネルを含む通信システムにおいて実行される。これらのレベルの専用チャネルは、異なる時間周波数リソースに対応する。専用チャネルは、専用チャネルが割り当てられた端末デバイスによってのみ検出される。図2に示すように、方法100は、以下のステップを含む。
【００３１】
S110．ネットワークデバイスは、レベル1の専用チャネルおよびレベル2の専用チャネルをターゲット端末デバイスに割り当てる。
【００３２】
S120．ネットワークデバイスは、予め設定された第1の時間周波数リソースを使用してレベル1の専用チャネルの指示情報を送信する。
【００３３】
S130．ネットワークデバイスは、レベル1の専用チャネルを使用してレベル2の専用チャネルの指示情報をターゲット端末デバイスに送信する。
【００３４】
あるいは、ネットワークデバイスは、レベル1の専用チャネルを使用して第3の時間周波数リソースの指示情報をターゲット端末デバイスに送信し、第3の時間周波数リソースを使用してレベル2の専用チャネルの指示情報をターゲット端末デバイスに送信するが、第3の時間周波数リソースは、ダウンリンクデータチャネルPDSCHの時間周波数リソースに属する。
【００３５】
S140．ネットワークデバイスは、レベル2の専用チャネルを使用して、ターゲット端末デバイスの専用スケジューリング情報をターゲット端末デバイスに送信する。
【００３６】
本発明のこの実施形態では、端末デバイスの専用スケジューリング情報は、ダウンリンク制御に使用される少なくとも2つのレベルの専用チャネルを使用して送信される。
【００３７】
本明細書における「専用チャネル」は、専用チャネルが割り当てられた端末デバイスによってのみ検出されるチャネルである。一般性を失うことなく、例えば、専用チャネル＃1が、ネットワークデバイスによって端末デバイス＃1（すなわち、ターゲット端末デバイスの一例）に割り当てられる場合、ネットワークデバイスは、専用チャネル＃1に対応する時間周波数リソース（「サーチスペース」とも呼ばれる）の指示情報を端末デバイス＃1に配信してもよい。したがって、端末デバイス＃1は、専用チャネル＃1に対応する時間周波数リソースの検出（またはサーチ）を行って、ネットワークデバイスによって配信された情報、例えば、端末デバイス＃1の専用スケジューリング情報を取得することができる。さらに、システム内の端末デバイス＃1以外の端末デバイスは、専用チャネル＃1に対応する時間周波数リソースの検出を行わない。
【００３８】
さらに、「専用スケジューリング情報」は、ネットワークデバイスが端末デバイスに対してリソーススケジューリングを行う必要があるときに端末デバイスに配信される、リソーススケジューリングに使用される情報である。限定ではなく例として、「端末デバイス＃1の専用スケジューリング情報」は、従来技術のEPDCCHまたはPDCCHの専用サーチエリア内で端末デバイス＃1に送信する必要のある情報、例えば、端末デバイス＃1のダウンリンクスケジューリングのための割り当て情報または端末デバイス＃1のアップリンクスケジューリングのためのグラント情報を含み得る。
【００３９】
さらに、本発明のこの実施形態では、専用スケジューリング情報は、少なくとも2つのレベルの専用チャネルを使用して配信される。
【００４０】
レベル2の専用チャネルは、専用スケジューリング情報を配信するために使用され、レベル1の専用チャネルは、レベル2の専用チャネルの時間周波数リソース（またはサーチスペース）を示すために使用される指示情報を配信するために使用される。
【００４１】
一般性を失うことなく、端末デバイス＃1の専用スケジューリング情報は、端末デバイス＃1に割り当てられたレベル2の専用チャネル（以下、理解および説明を容易にするために専用チャネル＃2と記す）で搬送される。
【００４２】
ネットワークデバイスは、端末デバイス＃1に割り当てられたレベル1の専用チャネル（例えば、専用チャネル＃1）を使用して、専用チャネル＃2の時間周波数リソースを示すために使用される指示情報を配信してもよい。
【００４３】
例えば、ネットワークデバイスは、専用チャネル＃1を使用して専用チャネル＃2の時間周波数リソースの指示情報（以下、理解および区別を容易にするために指示情報＃1と記す）を直接配信してもよい。
【００４４】
あるいは、ネットワークデバイスは、専用チャネル＃1を使用して、例えば、ダウンリンク制御情報（DCI、Downlink Control Information）メッセージを使用してPDSCHの時間周波数リソースの指示情報（以下、理解および区別を容易にするために指示情報＃2と記す）を配信し、指示情報＃2によって示される、PDSCHの時間周波数リソースを使用して指示情報＃1を配信してもよい。
【００４５】
したがって、端末デバイス＃1は、専用チャネル＃1を使用して指示情報＃1を直接的または間接的に取得し、指示情報＃1に従って専用チャネル＃2（これは具体的には専用チャネル＃2の時間周波数リソースである）を決定し、専用チャネル＃2の時間周波数リソースから端末デバイス＃1の専用スケジューリング情報を取得することができる。
【００４６】
さらに、ネットワークデバイスは、システム情報（例えば、MIB）を送信するために使用される予め設定された時間周波数リソース（すなわち、第1の時間周波数リソースの一例）に従ってEPDCCH＃1の時間周波数リソースの指示情報を端末デバイス＃1に配信してもよい。したがって、端末デバイス＃1は、予め設定された時間周波数リソースを使用して専用チャネル＃1の時間周波数リソースの指示情報を取得し、専用チャネル＃1の時間周波数リソースをさらに決定し、専用チャネル＃1を使用して専用チャネル＃1の時間周波数リソースから専用チャネル＃2の時間周波数リソースの指示情報を取得することができる。
【００４７】
端末デバイス＃1の専用スケジューリング情報を送信するプロセスで、専用チャネル＃1の時間周波数リソースの指示情報が送信されるときにのみ、システム情報を送信するために使用される時間周波数リソースが占有されることが分かる。したがって、スケジューリング情報送信の柔軟性を向上させることができ、システム性能およびユーザ体験を向上させることができる。
【００４８】
任意選択的に、専用チャネルは専用EPDCCHである。
【００４９】
具体的には、本発明のこの実施形態では、通信システムのEPDCCHは、専用EPDCCHと共通EPDCCHとに分類され得る（共通EPDCCHについては後で詳細に説明する）。「専用EPDCCH」は、専用EPDCCHが割り当てられた端末デバイスによってのみ検出されるEPDCCHである。例えば、専用EPDCCH＃1（理解および説明を容易にするために、以下、単にEPDCCH＃1と呼ぶ）が、ネットワークデバイスによって端末デバイス＃1に割り当てられる場合、ネットワークデバイスは、EPDCCH＃1に対応する時間周波数リソース（「サーチスペース」とも呼ばれる）の指示情報を端末デバイス＃1に配信してもよい。したがって、端末デバイス＃1は、EPDCCH＃1に対応する時間周波数リソースの検出（またはサーチ）を行って、ネットワークデバイスによって配信された情報、例えば、端末デバイス＃1の専用スケジューリング情報を取得することができる。さらに、システム内の端末デバイス＃1以外の端末デバイスは、EPDCCH＃1に対応する時間周波数リソースの検出を行わない。
【００５０】
EPDCCHが専用チャネルとして使用される先に挙げた解決策は、説明のための単なる例であり、本発明はこれに限定されないことを理解されたい。例えば、将来の拡張ダウンリンク制御チャネル（英語完全名：Future Enhanced Physical Downlink Control Channel、英語略語：FEPDCCH）または専用PDCCHが専用チャネルとして使用されてもよい。
【００５１】
理解および説明を容易にするために、以下では、EPDCCHが専用チャネルとして使用される例が、方法100の特定のプロセスを詳細に説明するために使用される。
【００５２】
一般性を失うことなく、方法100を詳細に説明するために、端末デバイス＃1（すなわち、ターゲット端末デバイスの一例）に制御情報を配信するプロセスが一例として使用される。
【００５３】
ネットワークデバイスは、システムによって提供される周波数リソースからレベル1のEPDCCH（すなわち、レベル1の専用チャネルの一例）の時間周波数リソース（理解および区別を容易にするために、以下、時間周波数リソースAと記す）を決定し得る。
【００５４】
任意選択的に、ネットワークデバイスが、ターゲット端末デバイスにレベル1の専用EPDCCHを割り当てることは、
ネットワークデバイスが、スケジューリングを必要とする端末デバイスの量に従ってレベル1の専用EPDCCHの時間周波数リソースのサイズを決定すること
を含む。
【００５５】
具体的には、本発明のこの実施形態では、少なくとも2つのレベルのEPDCCHにおけるレベル1のEPDCCHは、スケジューリングを現在必要としているすべての端末デバイスに割り当てられるEPDCCHと見なすことができる。あるいは、レベル1のEPDCCHの時間周波数リソースは、スケジューリングを現在必要としているすべての端末デバイスに搬送するサーチスペースとして使用される。
【００５６】
この場合、ネットワークデバイスは、スケジューリングを現在必要としている端末デバイスの量に従って時間周波数リソースAのサイズを決定し得る。例えば、スケジューリングを現在必要としている端末デバイスの量が比較的大きい場合、端末デバイスに割り当てる必要のあるレベル2のEPDCCHの量も比較的大きく、これに応じて、レベル2のEPDCCHの時間周波数リソース（またはレベル2のEPDCCHの時間周波数リソースの指示情報を搬送するために使用される、PDSCHの時間周波数リソース）の指示情報の量も比較的大きい。したがって、時間周波数リソースAとして、比較的大量の時間周波数リソース（シンボル、サブキャリア、またはリソースブロックなど）を割り当てて使用することができる。
【００５７】
スケジューリングを現在必要としている端末デバイスの量に従って、レベル1のEPDCCHの時間周波数リソースを割り当てることで、スケジューリングを必要とする端末デバイスの量が比較的少ない場合に、それでも、リソーススケジューリングに比較的大量の時間周波数リソースが占有される状況が回避され、システムリソースの浪費が回避される。
【００５８】
上記の説明から、EPDCCH＃1の時間周波数リソース（理解および区別を容易にするために、以下、時間周波数リソースA1と記す）は時間周波数リソースAの一部と見なすことができることが分かる。
【００５９】
限定ではなく例として、ネットワークデバイスは、スケジューリングを現在必要としている端末デバイスの量N（理解および区別を容易にするために、以下、端末デバイス＃1〜端末デバイス＃Nと記す）に従って、各端末デバイスに割り当てられたレベル2のEPDCCHの時間周波数リソースの指示情報（すなわち、指示情報＃1）の長さもしくはサイズ、または指示情報＃1を搬送するために使用される、PDSCHの時間周波数リソースの指示情報（すなわち、指示情報＃2）の長さもしくはサイズを示し、時間周波数リソースAをX個のサブ時間周波数リソース（理解および区別を容易にするために、サブ時間周波数リソース♯A1〜サブ時間周波数リソース♯Axと記す）に分割してもよく、この場合、X≧Nである。さらに、端末デバイス＃1〜端末デバイス＃Nは、サブ時間周波数リソース＃A1〜サブ時間周波数リソース＃ANと1対1に対応する、すなわち、サブ時間周波数リソースは、対応する端末デバイスに割り当てられる。
【００６０】
この場合、複数の端末デバイスに割り当てられる指示情報＃1または指示情報＃2は時間周波数リソースAで搬送されるため、各端末デバイスは、取得する必要のある指示情報を決定する必要がある。
【００６１】
したがって、例えば、ネットワークデバイスは、専用EPDCCH＃1を使用して指示情報＃1または指示情報＃2を端末デバイス＃1に配信するとき、ネットワークデバイスは、端末デバイス＃1の関連情報を、端末デバイス＃1に対応するサブ時間周波数リソース（すなわち、時間周波数リソースA1）に追加してもよい。したがって、時間周波数リソースAの位置を知った後、端末デバイス＃1は、時間周波数リソースAの検出を行い、時間周波数リソースA1として、端末デバイス＃1の関連情報を搬送するサブ時間周波数リソースを使用し、時間周波数リソースA1において、ネットワークデバイスによって端末デバイス＃1に送信された指示情報＃1（すなわち、EPDCCH＃2の時間周波数リソースの指示情報）または指示情報＃2（すなわち、指示情報＃1を搬送するために使用される、PDSCHの時間周波数リソースの指示情報）を受信してもよい。
【００６２】
別の例では、指示情報＃1または指示情報＃2は、リソース指示部（時間周波数リソースの指示情報を搬送する部分）およびデバイス関連情報部（端末デバイスの関連情報を搬送する部分）を含んでもよい。したがって、時間周波数リソースAの位置を知った後、端末デバイス＃1は、時間周波数リソースAの検出を行い、端末デバイス＃1の関連情報を搬送する指示情報を、ネットワークデバイスによって端末デバイス＃1に送信された指示情報＃1または指示情報＃2と見なしてもよい。
【００６３】
別の例では、ネットワークデバイスは、予め設定されたマッピング規則を取得し得る。このマッピング規則は、サブ時間周波数リソース＃A1〜サブ時間周波数リソース＃ANと、端末デバイス＃1〜端末デバイス＃Nの関連情報との1対1対応を示すものであってもよい。さらに、端末デバイスは、同じまたは対応するマッピング規則を取得してもよい。したがって、例えば、端末デバイス＃1の場合、ネットワークデバイスおよび端末デバイス＃1は、時間周波数リソースAから、時間周波数リソースA1として同じ時間周波数リソースを決定し、時間周波数リソースA1において、ネットワークデバイスによって端末デバイス＃1に送信された指示情報＃1または指示情報＃2を受信することができる。
【００６４】
限定ではなく例として、端末デバイスの関連情報は、端末デバイスのデバイス識別子を含んでもよい。端末デバイス＃1の先に挙げた関連情報は、説明のための単なる例であり、本発明はこれに限定されないことを理解されたい。ネットワークデバイスおよび各端末デバイスが同じまたは対応する情報を使用するならば、端末デバイスを一意的に示すことができる他の情報も、本発明の保護範囲に含まれる。例えば、端末デバイスの関連情報は、端末デバイスの媒体アクセス制御（英語完全名：Media Access Control、英語略語：MAC）アドレスまたはインターネットプロトコル（英語完全名：Internet Protocol、英略略語：IP）アドレスをさらに含んでもよい。
【００６５】
レベル1のEPDCCHを割り当てるための先に挙げた方法またはレベル1のEPDCCHの時間周波数リソースを決定するための方法は、説明のための単なる例であり、本発明はこれに限定されないことを理解されたい。スケジューリング期間内にネットワークデバイスがスケジューリングを行うことができる端末デバイスの最大量は、ネットワークデバイスの能力に従って決定することができ、レベル1のEPDCCHの時間周波数リソースが、レベル2のEPDCCHの指示情報（すなわち、指示情報＃1または指示情報＃2）を送信するという要求を満たすことができるならば、割り当ての度に、固定量の時間周波数リソースが、最大量および各レベル2のEPDCCHの指示情報（すなわち、指示情報＃1または指示情報＃2）のサイズまたは長さに従って、レベル1のEPDCCHに割り当てられる。
【００６６】
任意選択的に、端末デバイスは、レベル1のEPDCCHまたはレベル2のEPDCCHの一方のみをある瞬間に検出する。
【００６７】
具体的には、本発明のこの実施形態では、時間周波数リソースA1を使用して、ネットワークデバイスによって端末デバイス＃1のレベル2のEPDCCHに割り当てられた時間周波数リソース（理解および区別を容易にするために、以下、時間周波数リソースBと記す）を知る前に、端末デバイス＃1は、レベル2のEPDCCHを検出またはサーチすることができず、レベル1のEPDCCHのみを検出する。
【００６８】
端末デバイス＃1が時間周波数リソースA1を使用して時間周波数リソースBを知った後、端末デバイス＃1は、時間周波数リソースBのみのサーチまたは検出を行うことができ、時間周波数リソースA1で行われるレベル1のEPDCCHのサーチおよび検出を停止する。
【００６９】
これに対応して、ネットワークデバイスは、時間周波数リソースA1を解放し、時間周波数リソースA1を別の端末デバイスに再割り当てすることができる。
【００７０】
レベル1のEPDCCH（すなわち、レベル1の専用チャネルの一例）の時間周波数リソースの構成方法について以下で詳細に説明する。
【００７１】
任意選択的に、レベル1の専用チャネルの時間周波数リソースは、少なくとも2つのリソースブロックRBに属する。
【００７２】
具体的には、レベル1のEPDCCH（すなわち、レベル1の専用チャネルの一例）の時間周波数リソースは、リソースブロック（英語完全名：Resource Block、英語略語：RB）に基づいて割り当てられてもよく、すなわち、レベル1のEPDCCHの時間周波数リソースは、少なくとも2つのRBに属してもよい。「少なくとも2つのRBに属する」は、レベル1のEPDCCHの時間周波数リソースが、少なくとも2つのRBのすべての時間周波数リソースを含み得るか、または少なくとも2つのRBの一部の時間周波数リソースを含み得る、例えば、各RBのサブキャリアまたはシンボルの半分の量を含み得ることを意味することに留意されたい。
【００７３】
任意選択的に、レベル1の専用チャネルの時間周波数リソースが属する少なくとも2つのRBは不連続である。
【００７４】
具体的には、図4は、レベル1のEPDCCHの時間周波数リソースの分布方法の別の例の概略図である。図4に示すように、レベル1のEPDCCHの時間周波数リソースは、互いに隣接しない少なくとも2つのRBに搬送されてもよい。したがって、送信ダイバーシティ利得を向上させることができる。
【００７５】
任意選択的に、周波数領域において、レベル1の専用チャネルの時間周波数リソースは、予め設定された帯域幅の2つの端に配置される。
【００７６】
具体的には、図3は、レベル1のEPDCCHの時間周波数リソースの分布方法の一例を示す。図3に示すように、レベル1のEPDCCHの時間周波数リソースは、予め設定された帯域幅の2つの端の少なくとも2つのRBに属し得る。
【００７７】
さらに、本発明のこの実施形態では、予め設定された帯域幅は、ネットワークデバイスおよび端末デバイスによって事前に予め設定された帯域幅である。限定ではなく例として、予め設定された帯域幅は、通信システムによって使用されるシステム帯域幅であってもよい。
【００７８】
任意選択的に、レベル1の専用チャネルの時間周波数リソースが属する少なくとも2つのRBは連続的である。第1のRBに属する、レベル1の専用チャネルの時間周波数リソースと、第2のRBに属する、レベル1の専用チャネルの時間周波数リソースとは不連続である。
【００７９】
具体的には、レベル1のEPDCCHの時間周波数リソースは、少なくとも2つのRBに属し得るが、少なくとも2つのRBの一部（例えば、半分の量）のサブキャリアのみが、レベル1のEPDCCHの時間周波数リソースとして使用される。さらに、レベル1のEPDCCHの時間周波数リソースが属し得る2つのRBが隣接するとき、レベル1のEPDCCHの時間周波数リソースとして使用される、2つのRBのサブキャリアは不連続である。
【００８０】
任意選択的に、レベル1の専用チャネルの時間周波数リソースは、同じ送信時間間隔TTIの最初のK個のシンボルを含み、K≧1である。
【００８１】
具体的には、図5は、レベル1のEPDCCHの時間周波数リソースの分布方法の別の例の概略図である。図5に示すように、レベル1のEPDCCHの時間周波数リソースは、レベル1のEPDCCHの時間周波数リソースが属するRBの最初のK個のシンボルであってもよく、RBの残りのシンボルは、例えばPDSCHの時間周波数リソースとして使用されてもよい。
【００８２】
レベル1のEPDCCHの時間周波数リソースとして使用される、RB内のシンボル以外のシンボルの先に挙げた機能は説明のための単なる例であり、これは本発明では特に限定されないことを理解されたい。
【００８３】
さらに、Kの具体的な値は、必要に応じてランダムに決定されてもよい。限定ではなく例として、1つのRBが7つのシンボルを含むとき、レベル1のEPDCCHの時間周波数リソースは、レベル1のEPDCCHの時間周波数リソースが属するRBの最初のシンボルまたは最初の4つのシンボルであってもよい。
【００８４】
任意選択的に、ネットワークデバイスがレベル1の専用チャネルおよびレベル2の専用チャネルをターゲット端末デバイスに割り当てることは、
ターゲット端末デバイスによってアクセスされるサービスの遅延要求に従ってレベル1の専用チャネルをターゲット端末デバイスに割り当てること
を含む。
【００８５】
具体的には、例えば、端末デバイスによってアクセスされるサービスの遅延要求が比較的高いとき、RB内のすべてのシンボルを検出することなく、端末デバイスは、レベル1の専用EPDCCHの時間周波数リソースを使用してレベル2の専用EPDCCHの時間周波数リソースの指示情報を取得することができる。したがって、端末デバイスのスケジューリングを高速化でき、端末デバイスのサービスアクセス遅延を低減することができる。
【００８６】
任意選択的に、レベル1の専用チャネルの時間周波数リソースは、同じTTIのM個のリソースブロックRBに属し、M≧1である。
【００８７】
具体的には、レベル1のEPDCCHの時間周波数リソースは、レベル1のEPDCCHの時間周波数リソースが1つのTTIにおいて属するRBのM個のRBであってもよく、TTIの残りのRBは、例えばPDSCHの時間周波数リソースとして使用されてもよい。
【００８８】
さらに、Mの具体的な値は、必要に応じてランダムに決定されてもよく、本発明では特に限定されない。
【００８９】
任意選択的に、レベル1の専用チャネルは、第1のTTIに少なくとも1つのチャネル要素CEを含む。
【００９０】
具体的には、本発明のこの実施形態では、レベル1の専用チャネル（これは具体的にはレベル1の専用チャネルの時間周波数リソースである）は、チャネル要素（CE、Channel Element）に基づいて分割されてもよい。すなわち、レベル1の専用チャネルは、1つのTTI（すなわち、第1のTTIの一例）に少なくとも1つのCEを含み得る。
【００９１】
任意選択的に、レベル1の専用チャネルの時間周波数リソースは、第1のTTIにおいて集中的または分散的に構成される。
【００９２】
分散構成は、レベル1の専用チャネルに割り当てられた、第1のTTIのRBがレベル1の専用チャネルのみを搬送するために使用されるときに、各CEの時間周波数リソースが第1のTTIの少なくとも2つのRBに属するか、または
レベル1の専用チャネルに割り当てられた、第1のTTIのRBがレベル1の専用チャネルおよび別のチャネルを搬送するために使用されるときに、各CEに含まれるリソース要素REが周波数領域において不連続であることを意味する。
【００９３】
集中構成は、レベル1の専用チャネルに割り当てられた、第1のTTIのRBがレベル1の専用チャネルのみを搬送するために使用されるときに、各CEの時間周波数リソースが第1のTTIの同じRBに属するか、または
レベル1の専用チャネルに割り当てられた、第1のTTIのRBがレベル1の専用チャネルおよび別のチャネルを搬送するために使用されるときに、各CEに含まれるリソース要素REが周波数領域において連続的であることを意味する。
【００９４】
具体的には、本発明のこの実施形態では、レベル1の専用チャネルは、同じTTIに集中的に構成され得るし、レベル1の専用チャネルは、同じTTIで分散的に構成され得る。
【００９５】
最初に、分散構成の場合について詳細に説明する。
【００９６】
本発明のこの実施形態では、レベル1の専用チャネルおよび別のチャネルは、周波数分割多重化によって同じTTIのRBを多重化することができる。すなわち、レベル1の専用チャネルに割り当てられた、TTIのRBは、レベル1の専用チャネルのみを搬送するために使用され、別のチャネル（例えば、PDSCH）を搬送するためには使用され得ない。
【００９７】
この場合、例えば、ネットワークデバイスは、時間周波数リソースAを、サブ時間周波数リソース♯A1〜サブ時間周波数リソース♯Axに分割してもよい。各サブ時間周波数リソースは、1つの端末デバイスのレベル1の専用チャネルを搬送するために使用される。各サブ時間周波数リソースが同じTTIに1つ以上のCEを含み、各CEが少なくとも2つのRBに属し得る場合、レベル1の専用チャネルはTTIに分散的に構成されると考えることができる。
【００９８】
図7に示すように、ネットワークデバイスによって端末デバイスに割り当てられるCE（例えば、レベル1の専用チャネルを搬送するために使用され得るCE＃1）は、少なくとも2つのRBに属し得る。さらに、CEは、少なくとも2つのRBの一部の時間周波数リソースを含み得る、例えば、各RBの一部のシンボルを含む。さらに、同じRBの残りのシンボルは別の端末デバイスのCEに割り当てることができ、CEは別の端末デバイスに割り当てられたレベル1の専用チャネルとして使用される。
【００９９】
あるいは、ネットワークデバイスによって端末デバイスに割り当てられるCE（例えば、レベル1の専用チャネルを搬送するために使用され得るCE＃1）は、少なくとも2つのRBに属すことができ、CEは、少なくとも2つのRBの一部の時間周波数リソースを含み得る、例えば、各RBの一部のサブキャリアを含む。
【０１００】
図7に示すCE＃1〜CE＃4は、複数の端末デバイスに別々に割り当てられ、複数の端末デバイスのレベル1の専用チャネルとして別々に使用されてもよいことに留意されたい。
【０１０１】
あるいは、図7に示すCE＃1〜CE＃4の一部または全部のCEは、同じ端末デバイスに割り当てられ、端末デバイスのレベル1の専用チャネルとして別々に使用されてもよい。
【０１０２】
レベル1の専用チャネルおよび別のチャネルが周波数分割多重化によって同じTTIを多重化するとき、レベル1の専用チャネルは1つ以上のCEを含み、各CEの時間周波数リソースは少なくとも2つのRBに属するため、レベル1の専用チャネルは、システム帯域幅で分散的に（または非集中的に）構成され得る。したがって、ダイバーシティ利得を効果的に向上させることができ、本発明の信頼性および実用性をさらに向上させることができる。
【０１０３】
本発明のこの実施形態では、レベル1の専用チャネルおよび別のチャネルは、時分割多重化によって同じTTIのRBを多重化することができる。例えば、図5に示すように、レベル1の専用チャネルに割り当てられた、TTIのRBの一部のシンボルは、レベル1の専用チャネルを搬送するために使用され、同じRBの別のシンボルは、別のチャネル（例えば、PDSCH）を搬送するために使用され得る。
【０１０４】
この場合、レベル1の専用チャネルが同じTTIに1つ以上のCEを含み、各CEに含まれるリソース要素（RE、Resource Element）が不連続である場合、レベル1の専用チャネルはTTIに分散的に構成されると考えることができる。
【０１０５】
図8に示すように、ネットワークデバイスによって端末デバイスに割り当てられるCE（例えば、CE＃1）は、同じTTIの部分（例えば、2つのRB）に属し得る。さらに、CEは、2つのRBの一部のシンボル（例えば、最初のシンボル）を含むことができ、同じRBの残りのシンボルは、他のチャネル（例えば、PDSCH）に割り当てられ得る。
【０１０６】
レベル1の専用チャネルおよび別のチャネルが時分割多重化によって同じTTIを多重化するとき、レベル1の専用チャネルは1つ以上のCEを含み、各CEに含まれるREは不連続であるため、レベル1の専用チャネルは、システム帯域幅で分散的に（または非集中的に）構成され得る。したがって、ダイバーシティ利得を効果的に向上させることができ、本発明の信頼性および実用性をさらに向上させることができる。
【０１０７】
集中構成の場合について以下で詳細に説明する。
【０１０８】
本発明のこの実施形態では、レベル1の専用チャネルおよび別のチャネルは、周波数分割多重化によって同じTTIのRBを多重化することができる。すなわち、レベル1の専用チャネルに割り当てられた、TTIのRBは、レベル1の専用チャネルのみを搬送するために使用され、別のチャネル（例えば、PDSCH）を搬送するためには使用され得ない。
【０１０９】
この場合、例えば、ネットワークデバイスは、時間周波数リソースAを、サブ時間周波数リソース♯A1〜サブ時間周波数リソース♯Axに分割してもよい。各サブ時間周波数リソースは、1つの端末デバイスのレベル1の専用チャネルを搬送するために使用される。各サブ時間周波数リソースが同じTTIに1つ以上のCEを含み、各CEの時間周波数リソースが同じRBに属し得る場合、レベル1の専用チャネルはTTIに集中的に構成されると考えることができる。
【０１１０】
図9に示すように、ネットワークデバイスによって端末デバイスに割り当てられるCE（端末デバイスのレベル1の専用チャネルを搬送するために使用される）は、同じRBに属してもよい。さらに、端末デバイスに割り当てられるCEは、RB内の一部のシンボルまたは一部のサブキャリアのみを占有してもよい。別のシンボルまたはサブキャリアは、別の端末デバイスに割り当てられてもよく、別の端末デバイスのレベル1の専用チャネルの時間周波数リソースとして使用される。
【０１１１】
図9に示すCE＃1〜CE＃4は、複数の端末デバイスに別々に割り当てられ、複数の端末デバイスのレベル1の専用チャネルとして別々に使用されてもよいことに留意されたい。
【０１１２】
レベル1の専用チャネルおよび別のチャネルが周波数分割多重化によって同じTTIを多重化するとき、レベル1の専用チャネルは1つ以上のCEを含み、各CEの時間周波数リソースは同じRBに属するため、レベル1の専用チャネルは、システム帯域幅で集中的に（または局所的に）構成され得る。したがって、レベル1の専用チャネルは、チャネル干渉状態に従って比較的良好なチャネル品質のチャネルを選択することにより、集中的に構成することができ、本発明の信頼性および実用性をさらに向上させることができる。
【０１１３】
本発明のこの実施形態では、レベル1の専用チャネルおよび別のチャネルは、時分割多重化によって同じTTIのRBを多重化することができる。例えば、図5に示すように、レベル1の専用チャネルに割り当てられた、TTIのRBの一部のシンボルは、レベル1の専用チャネルを搬送するために使用され、同じRBの別のシンボルは、別のチャネル（例えば、PDSCH）を搬送するために使用され得る。
【０１１４】
この場合、レベル1の専用チャネルが同じTTIに1つ以上のCEを含み、各CEに含まれるリソース要素（RE、Resource Element）が連続的である場合、レベル1の専用チャネルはTTIに集中的に構成されると考えることができる。
【０１１５】
図10に示すように、ネットワークデバイスによって端末デバイスに割り当てられるCE（例えば、CE＃1）は、同じTTIのすべてのRBに属し得る。さらに、CEは、同じTTIのすべてのRBの一部のシンボル（例えば、最初のシンボル）を含むことができ、同じRBの残りのシンボルは、他のチャネル（例えば、PDSCH）に割り当てられ得る。
【０１１６】
レベル1の専用チャネルおよび別のチャネルが時分割多重化によって同じTTIを多重化するとき、レベル1の専用チャネルは1つ以上のCEを含み、各CEに含まれるREは連続的であるため、レベル1の専用チャネルは、システム帯域幅で集中的に（または局所的に）構成され得る。したがって、レベル1の専用チャネルは、チャネル干渉状態に従って比較的良好なチャネル品質のチャネルを選択することにより、集中的に構成することができ、本発明の信頼性および実用性をさらに向上させることができる。
【０１１７】
先に挙げた時間周波数リソースの分布方法は説明のための単なる例であり、本発明はこれに限定されないことを理解されたい。これは必要に応じて調整され得る。
【０１１８】
さらに、図3〜図10に示すように、レベル1の専用チャネルは、基準チャネル（またはパイロット信号）を搬送するために使用される時間周波数リソースをさらに含んでもよい。
【０１１９】
さらに、本発明のこの実施形態では、各ポート（例えば、図3〜図7に示すポート）は、時間周波数リソースを独立して占有してもよい。例えば、ポート＃1〜ポート＃4またはポート＃A〜ポート＃Dのいずれも、1つのポートであってもよい。
【０１２０】
あるいは、本発明のこの実施形態では、複数のポートが、同じ時間周波数リソースを多重化してもよい。例えば、図8〜図10に示すポートでは、ポート＃Eは、複数（例えば4つ）のポートを含んでもよく、また図9のポート＃Fは、複数（例えば4つ）のポートを含んでもよく、ポート＃Eに含まれるポートは、ポート＃Fに含まれるポートとは異なる。
【０１２１】
レベル2のEPDCCH（すなわち、レベル2の専用チャネルの一例）の時間周波数リソースの構成方法について以下で詳細に説明する。
【０１２２】
任意選択的に、レベル2の専用チャネルの時間周波数リソースは、少なくとも2つのリソースブロックRBに属する。
【０１２３】
具体的には、レベル2のEPDCCHの時間周波数リソースは、RBに基づいて割り当てられてもよく、すなわち、レベル2のEPDCCHの時間周波数リソースは、少なくとも2つのRBに属してもよい。「少なくとも2つのRBに属する」は、レベル2のEPDCCHの時間周波数リソースが、少なくとも2つのRBのすべての時間周波数リソースを含み得るか、または少なくとも2つのRBの一部の時間周波数リソースを含み得る、例えば、各RBのサブキャリアまたはシンボルの半分の量を含み得ることを意味することに留意されたい。
【０１２４】
任意選択的に、レベル2の専用チャネルの時間周波数リソースが属する少なくとも2つのRBは不連続である。
【０１２５】
具体的には、レベル2のEPDCCHの時間周波数リソースは、互いに隣接しない少なくとも2つのRBで搬送されてもよい。したがって、送信ダイバーシティ利得を向上させることができる。
【０１２６】
任意選択的に、周波数領域において、レベル2の専用チャネルの時間周波数リソースは、予め設定された帯域幅の2つの端に配置される。
【０１２７】
具体的には、レベル2のEPDCCHの時間周波数リソースは、予め設定された帯域幅の2つの端の少なくとも2つのRBに属し得る。
【０１２８】
さらに、本発明のこの実施形態では、予め設定された帯域幅は、ネットワークデバイスおよび端末デバイスによって事前に予め設定された帯域幅である。限定ではなく例として、予め設定された帯域幅は、通信システムによって使用されるシステム帯域幅であってもよい。
【０１２９】
任意選択的に、レベル2の専用チャネルの時間周波数リソースが属する少なくとも2つのRBは連続的である。第3のRBに属する、レベル2の専用チャネルの時間周波数リソースと、第4のRBに属する、レベル2の専用チャネルの時間周波数リソースとは不連続である。
【０１３０】
具体的には、レベル2のEPDCCHの時間周波数リソースは、少なくとも2つのRBに属し得るが、少なくとも2つのRBの一部（例えば、半分の量）のサブキャリアのみが、レベル2のEPDCCHの時間周波数リソースとして使用される。さらに、レベル2のEPDCCHの時間周波数リソースが属し得る2つのRBが隣接するとき、レベル2のEPDCCHの時間周波数リソースとして使用される、2つのRBのサブキャリアは不連続である。
【０１３１】
任意選択的に、レベル2の専用チャネルの時間周波数リソースは、同じ送信時間間隔TTIの最初のK個のシンボルを含み、K≧1である。
【０１３２】
具体的には、レベル2のEPDCCHの時間周波数リソースは、レベル2のEPDCCHの時間周波数リソースが属するRBの最初のK個のシンボルであってもよく、RBの残りのシンボルは、例えばPDSCHの時間周波数リソースとして使用されてもよい。
【０１３３】
レベル2のEPDCCHの時間周波数リソースとして使用される、RB内のシンボル以外のシンボルの先に挙げた機能は説明のための単なる例であり、これは本発明では特に限定されないことを理解されたい。例えば、図6は、レベル2のEPDCCHの時間周波数リソースの分布方法の別の例の概略図である。図6に示すように、端末デバイスに割り当てられるレベル2のEPDCCHの時間周波数リソースは、レベル2のEPDCCHの時間周波数リソースが属するRBの最初のK個のシンボルであってもよく、RBの残りのシンボルは、例えば、別の端末デバイスに割り当てられるレベル2のEPDCCHの時間周波数リソースとして使用されてもよい。
【０１３４】
さらに、Kの具体的な値は、必要に応じてランダムに決定されてもよい。限定ではなく例として、1つのRBが7つのシンボルを含むとき、レベル2のEPDCCHの時間周波数リソースは、レベル2のEPDCCHの時間周波数リソースが属するRBの最初のシンボルまたは最初の4つのシンボルであってもよい。
【０１３５】
任意選択的に、ネットワークデバイスがレベル1の専用チャネルおよびレベル2の専用チャネルをターゲット端末デバイスに割り当てることは、
ターゲット端末デバイスによってアクセスされるサービスの遅延要求に従ってレベル2の専用チャネルをターゲット端末デバイスに割り当てること
を含む。
【０１３６】
具体的には、例えば、端末デバイスによってアクセスされるサービスの遅延要求が比較的高いとき、RB内のすべてのシンボルを検出することなく、端末デバイスは、レベル2の専用EPDCCHの時間周波数リソースを使用してスケジューリング情報を取得することができる。したがって、端末デバイスのスケジューリングを高速化でき、端末デバイスのサービスアクセス遅延を低減することができる。
【０１３７】
任意選択的に、レベル2の専用チャネルの時間周波数リソースは、同じTTIのM個のリソースブロックRBに属し、M≧1である。
【０１３８】
具体的には、レベル2のEPDCCHの時間周波数リソースは、レベル2のEPDCCHの時間周波数リソースが1つのTTIにおいて属するRBのM個のRBであってもよく、TTIの残りのRBは、例えばPDSCHの時間周波数リソースとして使用されてもよい。
【０１３９】
さらに、Mの具体的な値は、必要に応じてランダムに決定されてもよく、本発明では特に限定されない。
【０１４０】
任意選択的に、レベル2の専用チャネルは、第1のTTIに少なくとも1つのチャネル要素CEを含む。
【０１４１】
具体的には、本発明のこの実施形態では、レベル2の専用チャネル（これは具体的にはレベル2の専用チャネルの時間周波数リソースである）は、チャネル要素（CE、Channel Element）に基づいて分割されてもよい。すなわち、レベル2の専用チャネルは、1つのTTI（すなわち、第1のTTIの一例）に少なくとも1つのCEを含み得る。
【０１４２】
任意選択的に、レベル2の専用チャネルの時間周波数リソースは、第1のTTIにおいて集中的または分散的に構成される。
【０１４３】
分散構成は、レベル2の専用チャネルに割り当てられた、第1のTTIのRBがレベル2の専用チャネルのみを搬送するために使用されるときに、各CEの時間周波数リソースが第1のTTIの少なくとも2つのRBに属するか、または
レベル2の専用チャネルに割り当てられた、第1のTTIのRBがレベル2の専用チャネルおよび別のチャネルを搬送するために使用されるときに、各CEに含まれるリソース要素REが周波数領域において不連続であることを意味する。
【０１４４】
集中構成は、レベル2の専用チャネルに割り当てられた、第1のTTIのRBがレベル2の専用チャネルのみを搬送するために使用されるときに、各CEの時間周波数リソースが第1のTTIの同じRBに属するか、または
レベル2の専用チャネルに割り当てられた、第1のTTIのRBがレベル2の専用チャネルおよび別のチャネルを搬送するために使用されるときに、各CEに含まれるリソース要素REが周波数領域において連続的であることを意味する。
【０１４５】
具体的には、本発明のこの実施形態では、レベル2の専用チャネルは、同じTTIに集中的に構成され得るし、レベル2の専用チャネルは、同じTTIで分散的に構成され得る。
【０１４６】
最初に、分散構成の場合について詳細に説明する。
【０１４７】
本発明のこの実施形態では、レベル2の専用チャネルおよび別のチャネルは、周波数分割多重化によって同じTTIのRBを多重化することができる。すなわち、レベル2の専用チャネルに割り当てられた、TTIのRBは、レベル2の専用チャネルのみを搬送するために使用され、別のチャネル（例えば、PDSCH）を搬送するためには使用され得ない。
【０１４８】
この場合、レベル2の専用チャネルが同じのTTIに1つ以上のCEを含み、各CEが少なくとも2つのRBに所属し得る場合、レベル2の専用チャネルは、TTIに分散的に構成されると考えることができる。
【０１４９】
図7に示すように、ネットワークデバイスによって端末デバイスに割り当てられるCE（例えば、レベル2の専用チャネルを搬送するために使用され得るCE＃1）は、少なくとも2つのRBに属し得る。さらに、CEは、少なくとも2つのRBの一部の時間周波数リソースを含み得る、例えば、各RBの一部のシンボルを含む。さらに、同じRBの残りのシンボルは、別の端末デバイスのCEに割り当てられ得る。
【０１５０】
あるいは、ネットワークデバイスによって端末デバイスに割り当てられるCEは、少なくとも2つのRBに属すことができ、CEは、少なくとも2つのRBの一部の時間周波数リソースを含み得る、例えば、各RBの一部のサブキャリアを含む。
【０１５１】
図7に示すCE＃1〜CE＃4は、複数の端末デバイスに別々に割り当てられ、複数の端末デバイスのレベル2の専用チャネルとして別々に使用されてもよいことに留意されたい。
【０１５２】
あるいは、図7に示すCE＃1〜CE＃4の一部または全部のCEは、同じ端末デバイスに割り当てられ、端末デバイスのレベル2の専用チャネルとして別々に使用されてもよい。
【０１５３】
レベル2の専用チャネルおよび別のチャネルが周波数分割多重化によって同じTTIを多重化するとき、レベル2の専用チャネルは1つ以上のCEを含み、各CEの時間周波数リソースは少なくとも2つのRBに属するため、レベル2の専用チャネルは、システム帯域幅で分散的に（または非集中的に）構成され得る。したがって、ダイバーシティ利得を効果的に向上させることができ、本発明の信頼性および実用性をさらに向上させることができる。
【０１５４】
本発明のこの実施形態では、レベル2の専用チャネルおよび別のチャネルは、時分割多重化によって同じTTIのRBを多重化することができる。例えば、図5に示すように、レベル1の専用チャネルに割り当てられた、TTIのRBの一部のシンボルは、レベル2の専用チャネルを搬送するために使用され、同じRBの別のシンボルは、別のチャネル（例えば、PDSCH）を搬送するために使用され得る。
【０１５５】
この場合、レベル2の専用チャネルが同じTTIに1つ以上のCEを含み、各CEに含まれるリソース要素（RE、Resource Element）が不連続である場合、レベル2の専用チャネルはTTIに分散的に構成されると考えることができる。
【０１５６】
図8に示すように、ネットワークデバイスによって端末デバイスに割り当てられるCE（例えば、CE＃1）は、同じTTIの部分（例えば、2つのRB）に属し得る。さらに、CEは、2つのRBの一部のシンボル（例えば、最初のシンボル）を含むことができ、同じRBの残りのシンボルは、他のチャネル（例えば、PDSCH）に割り当てられ得る。
【０１５７】
レベル2の専用チャネルおよび別のチャネルが時分割多重化によって同じTTIを多重化するとき、レベル2の専用チャネルは1つ以上のCEを含み、各CEに含まれるREは不連続であるため、レベル2の専用チャネルは、システム帯域幅で分散的に（または非集中的に）構成され得る。したがって、ダイバーシティ利得を効果的に向上させることができ、本発明の信頼性および実用性をさらに向上させることができる。
【０１５８】
集中構成の場合について以下で詳細に説明する。
【０１５９】
本発明のこの実施形態では、レベル2の専用チャネルおよび別のチャネルは、周波数分割多重化によって同じTTIのRBを多重化することができる。すなわち、レベル1の専用チャネルに割り当てられた、TTIのRBは、レベル2の専用チャネルのみを搬送するために使用され、別のチャネル（例えば、PDSCH）を搬送するためには使用され得ない。
【０１６０】
この場合、レベル2の専用チャネルが同じTTIに1つ以上のCEを含み、各CEの時間周波数リソースが同じRBに属し得る場合、レベル2の専用チャネルはTTIに集中的に構成されると考えることができる。
【０１６１】
図9に示すように、ネットワークデバイスによって端末デバイスに割り当てられるCE（端末デバイスのレベル2の専用チャネルを搬送するために使用される）は、同じRBに属してもよい。さらに、端末デバイスに割り当てられるCEは、RB内の一部のシンボルまたは一部のサブキャリアのみを占有してもよい。別のシンボルまたはサブキャリアは、別の端末デバイスに割り当てられてもよく、別の端末デバイスのレベル2の専用チャネルの時間周波数リソースとして使用される。
【０１６２】
図9に示すCE＃1〜CE＃4は、複数の端末デバイスに別々に割り当てられ、複数の端末デバイスのレベル2の専用チャネルとして別々に使用されてもよいことに留意されたい。
【０１６３】
レベル2の専用チャネルおよび別のチャネルが周波数分割多重化によって同じTTIを多重化するとき、レベル2の専用チャネルは1つ以上のCEを含み、各CEの時間周波数リソースは同じRBに属するため、レベル2の専用チャネルは、システム帯域幅で集中的に（または局所的に）構成され得る。したがって、レベル2の専用チャネルは、チャネル干渉状態に従って比較的良好なチャネル品質のチャネルを選択することにより、集中的に構成することができ、本発明の信頼性および実用性をさらに向上させることができる。
【０１６４】
本発明のこの実施形態では、レベル2の専用チャネルおよび別のチャネルは、時分割多重化によって同じTTIのRBを多重化することができる。例えば、図5に示すように、レベル1の専用チャネルに割り当てられた、TTIのRBの一部のシンボルは、レベル2の専用チャネルを搬送するために使用され、同じRBの別のシンボルは、別のチャネル（例えば、PDSCH）を搬送するために使用され得る。
【０１６５】
この場合、レベル2の専用チャネルが同じTTIに1つ以上のCEを含み、各CEに含まれるリソース要素（RE、Resource Element）が連続的である場合、レベル2の専用チャネルはTTIに集中的に構成されると考えることができる。
【０１６６】
図10に示すように、ネットワークデバイスによって端末デバイスに割り当てられるCE（例えば、CE＃1）は、同じTTIのすべてのRBに属し得る。さらに、CEは、同じTTIのすべてのRBの一部のシンボル（例えば、最初のシンボル）を含むことができ、同じRBの残りのシンボルは、他のチャネル（例えば、PDSCH）に割り当てられ得る。
【０１６７】
レベル2の専用チャネルおよび別のチャネルが時分割多重化によって同じTTIを多重化するとき、レベル2の専用チャネルは1つ以上のCEを含み、各CEに含まれるREは連続的であるため、レベル2の専用チャネルは、システム帯域幅で集中的に（または局所的に）構成され得る。したがって、レベル2の専用チャネルは、チャネル干渉状態に従って比較的良好なチャネル品質のチャネルを選択することにより、集中的に構成することができ、本発明の信頼性および実用性をさらに向上させることができる。
【０１６８】
先に挙げた時間周波数リソースの分布方法は説明のための単なる例であり、本発明はこれに限定されないことを理解されたい。これは必要に応じて調整され得る。
【０１６９】
さらに、図3〜図10に示すように、レベル2の専用チャネルは、基準チャネル（またはパイロット信号）を搬送するために使用される時間周波数リソースをさらに含んでもよい。
【０１７０】
さらに、本発明のこの実施形態では、各ポート（例えば、図3〜図7に示すポート）は、時間周波数リソースを独立して占有してもよい。例えば、ポート＃1〜ポート＃4またはポート＃A〜ポート＃Dのいずれも、1つのポートであってもよい。
【０１７１】
あるいは、本発明のこの実施形態では、複数のポートが、同じ時間周波数リソースを多重化してもよい。例えば、図8〜図10に示すポートでは、ポート＃Eは、複数（例えば4つ）のポートを含んでもよく、また図10のポート＃Fは、複数（例えば4つ）のポートを含んでもよく、ポート＃Eに含まれるポートは、ポート＃Fに含まれるポートとは異なる。
【０１７２】
任意選択的に、第1の構成パターンは、第2の構成パターンと同じである。
【０１７３】
第1の構成パターンは、基準信号を送信するために使用される、レベル1の専用チャネルの各CEの時間周波数リソースの構成パターンである。
【０１７４】
第2の構成パターンは、基準信号を送信するために使用される、レベル2の専用チャネルの各CEの時間周波数リソースの構成パターンである。
【０１７５】
具体的には、本発明のこの実施形態では、基準信号（またはパイロット信号）を搬送するために使用される、レベル1の専用チャネル（例えば、レベル1のEPDCCH）の時間周波数リソースの構成パターンは、基準信号（またはパイロット信号）を搬送するために使用される、レベル2の専用チャネル（例えば、レベル2のEPDCCH）の時間周波数リソースの構成パターンと同じであってもよい。
【０１７６】
任意選択的に、第3の構成パターンは、第4の構成パターンと異なる。
【０１７７】
第3の構成パターンは、基準信号を送信するために使用される、レベル2の専用チャネルの各CEの時間周波数リソースの構成パターンであって、レベル2の専用チャネルの時間周波数リソースが第1のTTIに集中的に構成されるときに使用される構成パターンである。
【０１７８】
第4の構成パターンは、基準信号を送信するために使用される、レベル2の専用チャネルの各CEの時間周波数リソースの構成パターンであって、レベル2の専用チャネルの時間周波数リソースが第1のTTIに分散的に構成されるときに使用される構成パターンである。
【０１７９】
本発明のこの実施形態では、CEは、制御チャネル要素CCE（Control Channel Element）であってもよいし、拡張制御チャネル要素（ECCE、Enhanced Control Channel Element）であってもよいし、別の種類の制御チャネル要素であってもよく、これは本発明では特に限定されないことに留意されたい。
【０１８０】
図11は、レベル1の専用チャネル、レベル2の専用チャネル、およびダウンリンクデータチャネルの構成方法の一例の概略図である。図11に示すように、本発明のこの実施形態では、専用チャネル（レベル1の専用チャネルおよびレベル2の専用チャネルを含む）およびいくつかのダウンリンクデータチャネルは、時分割多重化によって構成されてもよい。さらに、専用チャネルおよび他のダウンリンクデータチャネルは、周波数分割多重化によって構成されてもよく、レベル1の専用チャネルおよびレベル2の専用チャネルは、周波数分割多重化によって構成されてもよい。
【０１８１】
レベル1の専用チャネル、レベル2の専用チャネル、およびダウンリンクデータチャネルの先に挙げた構成方法は、説明のための単なる例であり、本発明はこれに限定されないことを理解されたい。
【０１８２】
任意選択的に、通信システムは共通チャネルをさらに含む。共通チャネルは、専用チャネルの時間周波数リソースとは異なる時間周波数リソースを有する。共通チャネルは、通信システムのすべての端末デバイスによって検出される。本方法は、
ネットワークデバイスによって、予め設定された第2の時間周波数リソースを使用して共通チャネルの指示情報を送信するステップと、
ネットワークデバイスによって、共通チャネルを使用して共通メッセージを送信するステップ、または
ネットワークデバイスによって、共通チャネルを使用して第4の時間周波数リソースの指示情報を送信し、第4の時間周波数リソースを使用して共通メッセージを送信するステップであって、第4の時間周波数リソースが、ダウンリンクデータチャネルPDSCHの時間周波数リソースに属する、ステップと
をさらに含む。
【０１８３】
共通メッセージは、ランダムアクセス応答メッセージ、ページングメッセージ、またはシステムメッセージのうちの少なくとも1つを含む。
【０１８４】
本明細書における「共通チャネル」は、システムのすべての端末デバイスによって検出され得る。
【０１８５】
さらに、「共通メッセージ」は、例えばブロードキャスト方式でネットワークデバイスによってシステムのすべての端末デバイスに送信されるメッセージであってもよい。限定ではなく例として、「共通メッセージ」は、PDCCHの共通サーチ領域内のすべての端末デバイスに送信する必要がある既存のメッセージ、例えばシステムメッセージ、ランダムアクセス応答メッセージ、またはページングメッセージを含んでもよい。
【０１８６】
任意選択的に、共通チャネルは、共通拡張ダウンリンク制御チャネルEPDCCHである。
【０１８７】
具体的には、本発明のこの実施形態では、通信システムのEPDCCHは、専用EPDCCHと共通EPDCCHとに分類され得る。「共通EPDCCH」は、システムのすべての端末デバイスによって検出されるEPDCCHである。
【０１８８】
EPDCCHが共通チャネルとして使用される先に挙げた解決策は、説明のための単なる例であり、本発明はこれに限定されないことを理解されたい。例えば、将来の拡張ダウンリンク制御チャネル（英語完全名：Future Enhanced Physical Downlink Control Channel、英語略語：FEPDCCH）または共通PDCCHが共通チャネルとして使用されてもよい。
【０１８９】
ネットワークデバイスは、システム情報（例えば、MIB）を送信するために使用される予め設定された時間周波数リソース（すなわち、第2の時間周波数リソースの一例）に従って共通チャネルの時間周波数リソースの指示情報を端末デバイスに配信してもよい。したがって、システムの端末デバイスは、予め設定された時間周波数リソースを使用して共通チャネルの時間周波数リソースの指示情報を取得し、共通チャネルの時間周波数リソースをさらに決定することができる。
【０１９０】
例えば、ネットワークデバイスは、共通チャネルを使用して共通メッセージを送信してもよい。したがって、端末デバイスは、共通チャネルの時間周波数リソースで受信処理（またはサーチ処理）を行って共通メッセージを取得してもよい。
【０１９１】
あるいは、ネットワークデバイスは、共通チャネルを使用してPDSCHの時間周波数リソースの指示情報を送信し、PDSCHの時間周波数リソースで共通メッセージを送信してもよい。したがって、端末デバイスは、共通チャネルを使用してPDSCHの時間周波数リソースの指示情報を取得し、さらに、共通メッセージを搬送するために使用される、PDSCHの時間周波数リソースを決定し、この時間周波数リソースで受信処理を行って共通メッセージを取得することができる。
【０１９２】
本発明のこの実施形態では、共通チャネル（例えば、共通EPDCCH）の時間周波数リソースの指示情報およびレベル1の専用チャネル（例えば、レベル1のEPDCCH）の時間周波数リソースの指示情報は、同じのメッセージを使用して送信されてもよいし、異なるメッセージを使用して送信されてもよいが、これは本発明では特に限定されないことに留意されたい。
【０１９３】
さらに、本発明のこの実施形態では、共通EPDCCHの時間周波数リソースの分布方法は、レベル1のEPDCCHの時間周波数リソースの分布方法（例えば、図3〜図8に示す方法）と同様であってもよい。繰り返しを避けるために、ここではその詳細な説明は省略する。
【０１９４】
任意選択的に、共通チャネルの時間周波数リソースは、同じ送信時間間隔TTIの最初のK個のシンボルを含み、K≧1である。
【０１９５】
任意選択的に、共通チャネルの時間周波数リソースは、同じTTIのM個のリソースブロックRBに属し、M≧1である。
【０１９６】
任意選択的に、共通チャネルの時間周波数リソースは、少なくとも2つのリソースブロックRBに属する。
【０１９７】
任意選択的に、共通チャネルの時間周波数リソースが属する少なくとも2つのRBは不連続である。
【０１９８】
任意選択的に、共通チャネルの時間周波数リソースが属する少なくとも2つのRBは連続的である。第1のRBに属する、共通チャネルの時間周波数リソースと、第2のRBに属する、共通チャネルの時間周波数リソースとは不連続である。
【０１９９】
任意選択的に、周波数領域において、共通チャネルの時間周波数リソースは、予め設定されたシステム帯域幅の2つの端に配置される。
【０２００】
さらに、本発明のこの実施形態では、予め設定された帯域幅は、ネットワークデバイスおよび端末デバイスによって事前に予め設定された帯域幅である。限定ではなく例として、予め設定された帯域幅は、通信システムによって使用されるシステム帯域幅であってもよい。
【０２０１】
本発明のこの実施形態のスケジューリング情報送信方法によれば、少なくとも2つのレベルの専用チャネルが構成され、端末デバイスに対してリソーススケジューリングを行う必要があるとき、レベル1の専用チャネルの時間周波数リソースの指示情報が、システム情報を送信するために使用される第1の時間周波数リソースを使用して送信され、これにより、レベル2の専用チャネルの時間周波数リソースの指示情報が、レベル1の専用チャネルを使用して端末デバイスに送信され、端末デバイスの専用スケジューリング情報が、レベル2の専用チャネルを使用してさらに送信され得る。したがって、専用スケジューリング情報を送信するプロセスで、レベル1の専用チャネルの時間周波数リソースの指示情報が送信されるときにのみ、システム情報を送信するために使用される時間周波数リソースが占有され、端末デバイスがレベル1の専用チャネルの時間周波数リソースを知った後に、専用スケジューリング情報は、レベル1の専用チャネルおよびレベル2の専用チャネルを使用して任意の時点で配信され得る。したがって、スケジューリング情報送信の柔軟性を向上させることができ、システム性能およびユーザ体験を向上させることができる。
【０２０２】
さらに、レベル1の専用チャネルとレベル2の専用チャネルの両方が1つの端末デバイスに割り当てられるため、本発明のスケジューリング情報送信方法は、多入力多出力（MIMO、Multiple−Input Multiple−Output）送信シナリオに適用することができる。
【０２０３】
さらに、共通チャネルが構成されるため、スケジューリング情報送信はもはや既存のPDCCHに依存せず、PDCCHの従来技術の構成を放棄することができる。したがって、リソース構成の柔軟性をさらに向上させることができる。
【０２０４】
以上、本発明の実施形態によるスケジューリング情報送信方法について、図1〜図11を参照してネットワークデバイスの観点から詳細に説明した。以下では、本発明の一実施形態によるスケジューリング情報送信方法について、図12を参照して端末デバイスの観点から説明する。
【０２０５】
図12は、端末デバイスの観点から説明した、本発明の一実施形態による情報送信方法200の概略フローチャートである。方法200は、ダウンリンク制御に使用される少なくとも2つのレベルの専用チャネルを含む通信システムにおいて実行される。これらのレベルの専用チャネルは、異なる時間周波数リソースに対応する。専用チャネルは、専用チャネルが割り当てられた端末デバイスによってのみ検出される。図12に示すように、方法200は、以下のステップを含む。
【０２０６】
S210．ターゲット端末デバイスは、ネットワークデバイスによって送信された、レベル1の専用チャネルの指示情報を、予め設定された第1の時間周波数リソースを使用して受信する。
【０２０７】
S220．ターゲット端末デバイスは、レベル1の専用チャネルの指示情報に従ってレベル1の専用チャネルを決定する。
【０２０８】
S230．ターゲット端末デバイスは、ネットワークデバイスによって送信された、レベル2の専用チャネルの指示情報を、レベル1の専用チャネルを使用して受信する。
【０２０９】
あるいは、ターゲット端末デバイスは、ネットワークデバイスによって送信された、第3の時間周波数リソースの指示情報を、レベル1の専用チャネルを使用して受信し、ネットワークデバイスによって送信された、レベル2の専用チャネルの指示情報を、第3の時間周波数リソースを使用して受信するが、第3の時間周波数リソースは、物理ダウンリンクデータチャネルPDSCHの時間周波数リソースに属する。
【０２１０】
S240．ターゲット端末デバイスは、レベル2の専用チャネルの指示情報に従ってレベル2の専用チャネルを決定する。
【０２１１】
S250．ターゲット端末デバイスは、ネットワークデバイスによって送信された、ターゲット端末デバイスの専用スケジューリング情報を、レベル2の専用チャネルを使用して受信する。
【０２１２】
任意選択的に、レベル1の専用チャネルの時間周波数リソースまたはレベル2の専用チャネルの時間周波数リソースは、同じ送信時間間隔TTIの最初のK個のシンボルを含み、K≧1である。
【０２１３】
任意選択的に、レベル1の専用チャネルの時間周波数リソースまたはレベル2の専用チャネルの時間周波数リソースは、同じTTIのM個のリソースブロックRBに属し、M≧1である。
【０２１４】
任意選択的に、レベル1の専用チャネルまたはレベル2の専用チャネルは、ターゲット端末デバイスによってアクセスされるサービスの遅延要求に従って、ネットワークデバイスによって割り当てられる。
【０２１５】
任意選択的に、レベル1の専用チャネルの時間周波数リソースは、少なくとも2つのリソースブロックRBに属する。
【０２１６】
任意選択的に、レベル1の専用チャネルの時間周波数リソースが属する少なくとも2つのRBは不連続である。
【０２１７】
任意選択的に、レベル1の専用チャネルの時間周波数リソースが属する少なくとも2つのRBは連続的である。第1のRBに属する、レベル1の専用チャネルの時間周波数リソースと、第2のRBに属する、レベル1の専用チャネルの時間周波数リソースとは不連続である。
【０２１８】
任意選択的に、周波数領域において、レベル1の専用チャネルの時間周波数リソースは、予め設定された帯域幅の2つの端に配置される。
【０２１９】
任意選択的に、レベル1の専用チャネルまたはレベル2の専用チャネルは、第1のTTIに少なくとも1つのチャネル要素CEを含む。
【０２２０】
任意選択的に、レベル1の専用チャネルの時間周波数リソースまたはレベル2の専用チャネルの時間周波数リソースは、第1のTTIにおいて集中的または分散的に構成される。
【０２２１】
分散構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの少なくとも2つのRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において不連続であることを意味する。
【０２２２】
集中構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの同じRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において連続的であることを意味する。
【０２２３】
任意選択的に、第1の構成パターンは、第2の構成パターンと同じである。
【０２２４】
第1の構成パターンは、基準信号を送信するために使用される、レベル1の専用チャネルの各CEの時間周波数リソースの構成パターンである。
【０２２５】
第2の構成パターンは、基準信号を送信するために使用される、レベル2の専用チャネルの各CEの時間周波数リソースの構成パターンである。
【０２２６】
任意選択的に、第3の構成パターンは、第4の構成パターンと異なる。
【０２２７】
第3の構成パターンは、基準信号を送信するために使用される、レベル2の専用チャネルの各CEの時間周波数リソースの構成パターンであって、レベル2の専用チャネルの時間周波数リソースが第1のTTIに集中的に構成されるときに使用される構成パターンである。
【０２２８】
第4の構成パターンは、基準信号を送信するために使用される、レベル2の専用チャネルの各CEの時間周波数リソースの構成パターンであって、レベル2の専用チャネルの時間周波数リソースが第1のTTIに分散的に構成されるときに使用される構成パターンである。
【０２２９】
任意選択的に、通信システムは共通チャネルをさらに含む。共通チャネルは、専用チャネルの時間周波数リソースとは異なる時間周波数リソースを有する。共通チャネルは、通信システムのすべての端末デバイスによって検出される。本方法は、
予め設定された第2の時間周波数リソースを使用してターゲット端末デバイスによって、ネットワークデバイスによって送信された、共通チャネルの指示情報を受信するステップと、
共通チャネルを使用してターゲット端末デバイスによって、ネットワークデバイスによって送信された共通メッセージを受信するステップ、または
共通チャネルを使用してターゲット端末デバイスによって、ネットワークデバイスによって送信された、第4の時間周波数リソースの指示情報を受信し、第4の時間周波数リソースを使用して、ネットワークデバイスによって送信された共通メッセージを受信するステップであって、第4の時間周波数リソースが、PDSCHの時間周波数リソースに属する、ステップと
をさらに含む。
【０２３０】
共通メッセージは、ランダムアクセス応答メッセージ、ページングメッセージ、またはシステムメッセージのうちの少なくとも1つを含む。
【０２３１】
任意選択的に、共通チャネルは、共通拡張ダウンリンク制御チャネルEPDCCHである。
【０２３２】
任意選択的に、専用チャネルは専用EPDCCHである。
【０２３３】
任意選択的に、共通チャネルの時間周波数リソースは、同じ送信時間間隔TTIの最初のK個のシンボルを含み、K≧1である。
【０２３４】
任意選択的に、共通チャネルの時間周波数リソースは、同じTTIのM個のリソースブロックRBに属し、M≧1である。
【０２３５】
任意選択的に、共通チャネルの時間周波数リソースは、少なくとも2つのリソースブロックRBに属する。
【０２３６】
任意選択的に、共通チャネルの時間周波数リソースが属する少なくとも2つのRBは不連続である。
【０２３７】
任意選択的に、共通チャネルの時間周波数リソースが属する少なくとも2つのRBは連続的である。第1のRBに属する、共通チャネルの時間周波数リソースと、第2のRBに属する、共通チャネルの時間周波数リソースとは不連続である。
【０２３８】
任意選択的に、周波数領域において、共通チャネルの時間周波数リソースは、通信システムによって使用されるシステム帯域幅の2つの端に配置される。
【０２３９】
方法200における端末デバイスの動作は、方法100における端末デバイスの動作と同様であり、方法200におけるネットワークデバイスの動作は、方法100におけるネットワークデバイスの動作と同様である。繰り返しを避けるために、ここではその詳細な説明は省略する。
【０２４０】
本発明のこの実施形態のスケジューリング情報送信方法によれば、少なくとも2つのレベルの専用チャネルが構成され、端末デバイスに対してリソーススケジューリングを行う必要があるとき、レベル1の専用チャネルの時間周波数リソースの指示情報が、システム情報を送信するために使用される第1の時間周波数リソースを使用して送信され、これにより、レベル2の専用チャネルの時間周波数リソースの指示情報が、レベル1の専用チャネルを使用して端末デバイスに送信され、端末デバイスの専用スケジューリング情報が、レベル2の専用チャネルを使用してさらに送信され得る。したがって、専用スケジューリング情報を送信するプロセスで、レベル1の専用チャネルの時間周波数リソースの指示情報が送信されるときにのみ、システム情報を送信するために使用される時間周波数リソースが占有され、端末デバイスがレベル1の専用チャネルの時間周波数リソースを知った後に、専用スケジューリング情報は、レベル1の専用チャネルおよびレベル2の専用チャネルを使用して任意の時点で配信され得る。したがって、スケジューリング情報送信の柔軟性を向上させることができ、システム性能およびユーザ体験を向上させることができる。
【０２４１】
さらに、共通チャネルが構成されるため、スケジューリング情報送信はもはや既存のPDCCHに依存せず、PDCCHの従来技術の構成を放棄することができる。したがって、リソース構成の柔軟性をさらに向上させることができる。
【０２４２】
以上、本発明の実施形態によるスケジューリング情報送信方法について、図1〜図12を参照して詳細に説明した。以下では、本発明の実施形態によるスケジューリング情報送信装置について、図13および図14を参照して詳細に説明する。
【０２４３】
図13は、本発明の一実施形態による情報送信装置300の概略ブロック図である。装置300は、ダウンリンク制御に使用される少なくとも2つのレベルの専用チャネルを含む通信システムにおいて構成される。これらのレベルの専用チャネルは、異なる時間周波数リソースに対応する。専用チャネルは、専用チャネルが割り当てられた端末デバイスによってのみ検出される。図13に示すように、装置300は、
レベル1の専用チャネルおよびレベル2の専用チャネルをターゲット端末デバイスに割り当てるように構成される割当ユニット310と、
送信ユニット320であって、予め設定された第1の時間周波数リソースを使用してレベル1の専用チャネルの指示情報を送信し、
レベル1の専用チャネルを使用してレベル2の専用チャネルの指示情報をターゲット端末デバイスに送信するか、または
レベル1の専用チャネルを使用して、物理ダウンリンクデータチャネルPDSCHの時間周波数リソースに属する第3の時間周波数リソースの指示情報をターゲット端末デバイスに送信し、第3の時間周波数リソースを使用してレベル2の専用チャネルの指示情報をターゲット端末デバイスに送信し、
レベル2の専用チャネルを使用して、ターゲット端末デバイスの専用スケジューリング情報をターゲット端末デバイスに送信する
ように構成される送信ユニット320と
を含む。
【０２４４】
任意選択的に、レベル1の専用チャネルの時間周波数リソースまたはレベル2の専用チャネルの時間周波数リソースは、同じ送信時間間隔TTIの最初のK個のシンボルを含み、K≧1である。
【０２４５】
任意選択的に、レベル1の専用チャネルの時間周波数リソースまたはレベル2の専用チャネルの時間周波数リソースは、同じTTIのM個のリソースブロックRBに属し、M≧1である。
【０２４６】
任意選択的に、割当ユニットは、ターゲット端末デバイスによってアクセスされるサービスの遅延要求に従ってレベル1の専用チャネルまたはレベル2の専用チャネルをターゲット端末デバイスに割り当てるように特に構成される。
【０２４７】
任意選択的に、レベル1の専用チャネルの時間周波数リソースは、少なくとも2つのリソースブロックRBに属する。
【０２４８】
任意選択的に、レベル1の専用チャネルの時間周波数リソースが属する少なくとも2つのRBは不連続である。
【０２４９】
任意選択的に、レベル1の専用チャネルの時間周波数リソースが属する少なくとも2つのRBは連続的である。第1のRBに属する、レベル1の専用チャネルの時間周波数リソースと、第2のRBに属する、レベル1の専用チャネルの時間周波数リソースとは不連続である。
【０２５０】
任意選択的に、周波数領域において、レベル1の専用チャネルの時間周波数リソースは、予め設定された帯域幅の2つの端に配置される。
【０２５１】
任意選択的に、レベル1の専用チャネルまたはレベル2の専用チャネルは、第1のTTIに少なくとも1つのチャネル要素CEを含む。
【０２５２】
任意選択的に、レベル1の専用チャネルの時間周波数リソースまたはレベル2の専用チャネルの時間周波数リソースは、第1のTTIにおいて集中的または分散的に構成される。
【０２５３】
分散構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの少なくとも2つのRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において不連続であることを意味する。
【０２５４】
集中構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの同じRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において連続的であることを意味する。
【０２５５】
任意選択的に、第1の構成パターンは、第2の構成パターンと同じである。
【０２５６】
第1の構成パターンは、基準信号を送信するために使用される、レベル1の専用チャネルの各CEの時間周波数リソースの構成パターンである。
【０２５７】
第2の構成パターンは、基準信号を送信するために使用される、レベル2の専用チャネルの各CEの時間周波数リソースの構成パターンである。
【０２５８】
任意選択的に、第3の構成パターンは、第4の構成パターンと異なる。
【０２５９】
第3の構成パターンは、基準信号を送信するために使用される、レベル2の専用チャネルの各CEの時間周波数リソースの構成パターンであって、レベル2の専用チャネルの時間周波数リソースが第1のTTIに集中的に構成されるときに使用される構成パターンである。
【０２６０】
第4の構成パターンは、基準信号を送信するために使用される、レベル2の専用チャネルの各CEの時間周波数リソースの構成パターンであって、レベル2の専用チャネルの時間周波数リソースが第1のTTIに分散的に構成されるときに使用される構成パターンである。
【０２６１】
任意選択的に、通信システムは共通チャネルをさらに含む。共通チャネルは、専用チャネルの時間周波数リソースとは異なる時間周波数リソースを有する。共通チャネルは、通信システムのすべての端末デバイスによって検出される。
【０２６２】
送信ユニットは、予め設定された第2の時間周波数リソースを使用して共通チャネルの指示情報を送信し、
共通チャネルを使用して共通メッセージを送信するか、または
共通チャネルを使用して、PDSCHの時間周波数リソースに属する第4の時間周波数リソースの指示情報を送信し、第4の時間周波数リソースを使用して共通メッセージを送信するようにさらに構成される。
【０２６３】
共通メッセージは、ランダムアクセス応答メッセージ、ページングメッセージ、またはシステムメッセージのうちの少なくとも1つを含む。
【０２６４】
任意選択的に、共通チャネルは、共通拡張ダウンリンク制御チャネルEPDCCHである。
【０２６５】
任意選択的に、専用チャネルは専用EPDCCHである。
【０２６６】
任意選択的に、共通チャネルの時間周波数リソースは、同じ送信時間間隔TTIの最初のK個のシンボルを含み、K≧1である。
【０２６７】
任意選択的に、共通チャネルの時間周波数リソースは、同じTTIのM個のリソースブロックRBに属し、M≧1である。
【０２６８】
任意選択的に、共通チャネルの時間周波数リソースは、少なくとも2つのリソースブロックRBに属する。
【０２６９】
任意選択的に、共通チャネルの時間周波数リソースが属する少なくとも2つのRBは不連続である。
【０２７０】
任意選択的に、共通チャネルの時間周波数リソースが属する少なくとも2つのRBは連続的である。第1のRBに属する、共通チャネルの時間周波数リソースと、第2のRBに属する、共通チャネルの時間周波数リソースとは不連続である。
【０２７１】
任意選択的に、周波数領域において、共通チャネルの時間周波数リソースは、通信システムによって使用されるシステム帯域幅の2つの端に配置される。
【０２７２】
本発明のこの実施形態によるスケジューリング情報送信装置300は、本発明の実施形態の方法におけるネットワークデバイスに対応し得る。さらに、情報送信装置300のすべてのユニット（すなわち、モジュール）ならびに上記の他の動作および／または機能は、図2の方法100の対応する手順を実施するために分かれている。簡潔にするために、ここでは詳細は説明しない。
【０２７３】
本発明のこの実施形態のスケジューリング情報送信装置は、少なくとも2つのレベルの専用チャネルを構成し、端末デバイスに対してリソーススケジューリングを行う必要があるときに、レベル1の専用チャネルの時間周波数リソースの指示情報を、システム情報を送信するために使用される第1の時間周波数リソースを使用して送信し、これにより、レベル2の専用チャネルの時間周波数リソースの指示情報が、レベル1の専用チャネルを使用して端末デバイスに送信され、端末デバイスの専用スケジューリング情報が、レベル2の専用チャネルを使用してさらに送信され得る。したがって、専用スケジューリング情報を送信するプロセスで、レベル1の専用チャネルの時間周波数リソースの指示情報が送信されるときにのみ、システム情報を送信するために使用される時間周波数リソースが占有され、端末デバイスがレベル1の専用チャネルの時間周波数リソースを知った後に、専用スケジューリング情報は、レベル1の専用チャネルおよびレベル2の専用チャネルを使用して任意の時点で配信され得る。したがって、スケジューリング情報送信の柔軟性を向上させることができ、システム性能およびユーザ体験を向上させることができる。
【０２７４】
さらに、共通チャネルが構成されるため、スケジューリング情報送信はもはや既存のPDCCHに依存せず、PDCCHの従来技術の構成を放棄することができる。したがって、リソース構成の柔軟性をさらに向上させることができる。
【０２７５】
図14は、本発明の一実施形態によるスケジューリング情報送信装置400の概略ブロック図である。装置400は、ダウンリンク制御に使用される少なくとも2つのレベルの専用チャネルを含む通信システムにおいて構成される。これらのレベルの専用チャネルは、異なる時間周波数リソースに対応する。専用チャネルは、専用チャネルが割り当てられた端末デバイスによってのみ検出される。図14に示すように、装置400は、
ネットワークデバイスによって送信された、レベル1の専用チャネルの指示情報を、予め設定された第1の時間周波数リソースを使用して受信するように構成される受信ユニット410と、
レベル1の専用チャネルの指示情報に従ってレベル1の専用チャネルを決定するように構成される決定ユニット420と
を含む。
【０２７６】
受信ユニット410は、ネットワークデバイスによって送信された、レベル2の専用チャネルの指示情報を、レベル1の専用チャネルを使用して受信するようにさらに構成される。
【０２７７】
あるいは、受信ユニット410は、ネットワークデバイスによって送信された、第3の時間周波数リソースの指示情報を、レベル1の専用チャネルを使用して受信し、ネットワークデバイスによって送信された、レベル2の専用チャネルの指示情報を、第3の時間周波数リソースを使用して受信するようにさらに構成されるが、第3の時間周波数リソースは、物理ダウンリンクデータチャネルPDSCHの時間周波数リソースに属する。
【０２７８】
決定ユニット420は、レベル2の専用チャネルの指示情報に従ってレベル2の専用チャネルを決定するようにさらに構成される。
【０２７９】
受信ユニット410は、ネットワークデバイスによって送信された、装置の専用スケジューリング情報を、レベル2の専用チャネルを使用して受信するようにさらに構成される。
【０２８０】
任意選択的に、レベル1の専用チャネルの時間周波数リソースまたはレベル2の専用チャネルの時間周波数リソースは、同じ送信時間間隔TTIの最初のK個のシンボルを含み、K≧1である。
【０２８１】
任意選択的に、レベル1の専用チャネルの時間周波数リソースまたはレベル2の専用チャネルの時間周波数リソースは、同じTTIのM個のリソースブロックRBに属し、M≧1である。
【０２８２】
任意選択的に、レベル1の専用チャネルまたはレベル2の専用チャネルは、装置によってアクセスされるサービスの遅延要求に従って、ネットワークデバイスによって割り当てられる。
【０２８３】
任意選択的に、レベル1の専用チャネルの時間周波数リソースは、少なくとも2つのリソースブロックRBに属する。
【０２８４】
任意選択的に、レベル1の専用チャネルの時間周波数リソースが属する少なくとも2つのRBは不連続である。
【０２８５】
任意選択的に、レベル1の専用チャネルの時間周波数リソースが属する少なくとも2つのRBは連続的である。第1のRBに属する、レベル1の専用チャネルの時間周波数リソースと、第2のRBに属する、レベル1の専用チャネルの時間周波数リソースとは不連続である。
【０２８６】
任意選択的に、周波数領域において、レベル1の専用チャネルの時間周波数リソースは、予め設定された帯域幅の2つの端に配置される。
【０２８７】
任意選択的に、レベル1の専用チャネルまたはレベル2の専用チャネルは、第1のTTIに少なくとも1つのチャネル要素CEを含む。
【０２８８】
任意選択的に、レベル1の専用チャネルの時間周波数リソースまたはレベル2の専用チャネルの時間周波数リソースは、第1のTTIにおいて集中的または分散的に構成される。
【０２８９】
分散構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの少なくとも2つのRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において不連続であることを意味する。
【０２９０】
集中構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの同じRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において連続的であることを意味する。
【０２９１】
任意選択的に、第1の構成パターンは、第2の構成パターンと同じである。
【０２９２】
第1の構成パターンは、基準信号を送信するために使用される、レベル1の専用チャネルの各CEの時間周波数リソースの構成パターンである。
【０２９３】
第2の構成パターンは、基準信号を送信するために使用される、レベル2の専用チャネルの各CEの時間周波数リソースの構成パターンである。
【０２９４】
任意選択的に、第3の構成パターンは、第4の構成パターンと異なる。
【０２９５】
第3の構成パターンは、基準信号を送信するために使用される、レベル2の専用チャネルの各CEの時間周波数リソースの構成パターンであって、レベル2の専用チャネルの時間周波数リソースが第1のTTIに集中的に構成されるときに使用される構成パターンである。
【０２９６】
第4の構成パターンは、基準信号を送信するために使用される、レベル2の専用チャネルの各CEの時間周波数リソースの構成パターンであって、レベル2の専用チャネルの時間周波数リソースが第1のTTIに分散的に構成されるときに使用される構成パターンである。
【０２９７】
任意選択的に、通信システムは共通チャネルをさらに含む。共通チャネルは、専用チャネルの時間周波数リソースとは異なる時間周波数リソースを有する。共通チャネルは、通信システムのすべての端末デバイスによって検出される。
【０２９８】
受信ユニットは、ネットワークデバイスによって送信された、共通チャネルの指示情報を、予め設定された第2の時間周波数リソースを使用して受信するようにさらに構成される。
【０２９９】
決定ユニットは、共通チャネルの指示情報に従って共通チャネルを決定するようにさらに構成される。
【０３００】
受信ユニットは、ネットワークデバイスによって送信された共通メッセージを、共通チャネルを使用して受信するようにさらに構成される。
【０３０１】
あるいは、受信ユニットは、ネットワークデバイスによって送信された、第4の時間周波数リソースの指示情報を、共通チャネルを使用して受信し、ネットワークデバイスによって送信された共通メッセージを、第4の時間周波数リソースを使用して受信するようにさらに構成されるが、第4の時間周波数リソースは、PDSCHの時間周波数リソースに属する。
【０３０２】
共通メッセージは、ランダムアクセス応答メッセージ、ページングメッセージ、またはシステムメッセージのうちの少なくとも1つを含む。
【０３０３】
任意選択的に、共通チャネルは、共通拡張ダウンリンク制御チャネルEPDCCHである。
【０３０４】
任意選択的に、専用チャネルは専用EPDCCHである。
【０３０５】
任意選択的に、共通チャネルの時間周波数リソースは、同じ送信時間間隔TTIの最初のK個のシンボルを含み、K≧1である。
【０３０６】
任意選択的に、共通チャネルの時間周波数リソースは、同じTTIのM個のリソースブロックRBに属し、M≧1である。
【０３０７】
任意選択的に、共通チャネルの時間周波数リソースは、少なくとも2つのリソースブロックRBに属する。
【０３０８】
任意選択的に、共通チャネルの時間周波数リソースが属する少なくとも2つのRBは不連続である。
【０３０９】
任意選択的に、共通チャネルの時間周波数リソースが属する少なくとも2つのRBは連続的である。第1のRBに属する、共通チャネルの時間周波数リソースと、第2のRBに属する、共通チャネルの時間周波数リソースとは不連続である。
【０３１０】
本発明のこの実施形態によるスケジューリング情報送信装置400は、本発明の実施形態の方法における端末デバイスに対応し得る。さらに、情報送信装置400のすべてのユニット（すなわち、モジュール）ならびに上記の他の動作および／または機能は、図12の方法200の対応する手順を実施するために分かれている。簡潔にするために、ここでは詳細は説明しない。
【０３１１】
本発明のこの実施形態のスケジューリング情報送信装置は、少なくとも2つのレベルの専用チャネルを構成し、端末デバイスに対してリソーススケジューリングを行う必要があるときに、レベル1の専用チャネルの時間周波数リソースの指示情報を、システム情報を送信するために使用される第1の時間周波数リソースを使用して送信し、これにより、レベル2の専用チャネルの時間周波数リソースの指示情報が、レベル1の専用チャネルを使用して端末デバイスに送信され、端末デバイスの専用スケジューリング情報が、レベル2の専用チャネルを使用してさらに送信され得る。したがって、専用スケジューリング情報を送信するプロセスで、レベル1の専用チャネルの時間周波数リソースの指示情報が送信されるときにのみ、システム情報を送信するために使用される時間周波数リソースが占有され、端末デバイスがレベル1の専用チャネルの時間周波数リソースを知った後に、専用スケジューリング情報は、レベル1の専用チャネルおよびレベル2の専用チャネルを使用して任意の時点で配信され得る。したがって、スケジューリング情報送信の柔軟性を向上させることができ、システム性能およびユーザ体験を向上させることができる。
【０３１２】
さらに、共通チャネルが構成されるため、スケジューリング情報送信はもはや既存のPDCCHに依存せず、PDCCHの従来技術の構成を放棄することができる。したがって、リソース構成の柔軟性をさらに向上させることができる。
【０３１３】
以上、本発明の実施形態によるスケジューリング情報送信方法について、図1〜図12を参照して詳細に説明した。以下では、本発明の実施形態による情報送信デバイスについて、図15および図16を参照して詳細に説明する。
【０３１４】
図15は、本発明の一実施形態によるスケジューリング情報送信デバイス500の概略ブロック図である。図15に示すように、デバイス500は、プロセッサ510および送信機520を含む。プロセッサ510は、送信機520に接続されている。任意選択的に、デバイス500は、メモリ530をさらに含む。メモリ530は、プロセッサ510に接続されている。任意選択的に、デバイス500は、バスシステム540をさらに含む。プロセッサ510と、メモリ530と、送信機520とは、バスシステム540を使用して接続され得る。メモリ530は、命令を格納するように構成され得る。プロセッサ510は、情報または信号を送信するように送信機520を制御するために、メモリ530に格納された命令を実行するように構成される。デバイス500は、ダウンリンク制御に使用される少なくとも2つのレベルの専用チャネルを含む通信システムにおいて構成される。これらのレベルの専用チャネルは、異なる時間周波数リソースに対応する。専用チャネルは、専用チャネルが割り当てられた端末デバイスによってのみ検出される。
【０３１５】
プロセッサ510は、命令を実行して、レベル1の専用チャネルおよびレベル2の専用チャネルをターゲット端末デバイスに割り当て、
予め設定された第1の時間周波数リソースを使用してレベル1の専用チャネルの指示情報を送信するように送信機520を制御し、
レベル1の専用チャネルを使用してレベル2の専用チャネルの指示情報をターゲット端末デバイスに送信するように送信機520を制御するか、または
レベル1の専用チャネルを使用して、物理ダウンリンクデータチャネルPDSCHの時間周波数リソースに属する第3の時間周波数リソースの指示情報をターゲット端末デバイスに送信し、第3の時間周波数リソースを使用してレベル2の専用チャネルの指示情報をターゲット端末デバイスに送信するように送信機520を制御し、
レベル2の専用チャネルを使用して、ターゲット端末デバイスの専用スケジューリング情報をターゲット端末デバイスに送信するように送信機520を制御する。
【０３１６】
任意選択的に、レベル1の専用チャネルの時間周波数リソースまたはレベル2の専用チャネルの時間周波数リソースは、同じ送信時間間隔TTIの最初のK個のシンボルを含み、K≧1である。
【０３１７】
任意選択的に、レベル1の専用チャネルの時間周波数リソースまたはレベル2の専用チャネルの時間周波数リソースは、同じTTIのM個のリソースブロックRBに属し、M≧1である。
【０３１８】
任意選択的に、プロセッサは、ターゲット端末デバイスによってアクセスされるサービスの遅延要求に従ってレベル1の専用チャネルおよびレベル2の専用チャネルをターゲット端末デバイスに割り当てるように特に構成される。
【０３１９】
任意選択的に、レベル1の専用チャネルの時間周波数リソースは、少なくとも2つのリソースブロックRBに属する。
【０３２０】
任意選択的に、レベル1の専用チャネルの時間周波数リソースが属する少なくとも2つのRBは不連続である。
【０３２１】
任意選択的に、レベル1の専用チャネルの時間周波数リソースが属する少なくとも2つのRBは連続的である。第1のRBに属する、レベル1の専用チャネルの時間周波数リソースと、第2のRBに属する、レベル1の専用チャネルの時間周波数リソースとは不連続である。
【０３２２】
任意選択的に、周波数領域において、レベル1の専用チャネルの時間周波数リソースは、予め設定された帯域幅の2つの端に配置される。
【０３２３】
任意選択的に、レベル1の専用チャネルまたはレベル2の専用チャネルは、第1のTTIに少なくとも1つのチャネル要素CEを含む。
【０３２４】
任意選択的に、レベル1の専用チャネルの時間周波数リソースまたはレベル2の専用チャネルの時間周波数リソースは、第1のTTIにおいて集中的または分散的に構成される。
【０３２５】
分散構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの少なくとも2つのRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において不連続であることを意味する。
【０３２６】
集中構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの同じRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において連続的であることを意味する。
【０３２７】
任意選択的に、第1の構成パターンは、第2の構成パターンと同じである。
【０３２８】
第1の構成パターンは、基準信号を送信するために使用される、レベル1の専用チャネルの各CEの時間周波数リソースの構成パターンである。
【０３２９】
第2の構成パターンは、基準信号を送信するために使用される、レベル2の専用チャネルの各CEの時間周波数リソースの構成パターンである。
【０３３０】
任意選択的に、第3の構成パターンは、第4の構成パターンと異なる。
【０３３１】
第3の構成パターンは、基準信号を送信するために使用される、レベル2の専用チャネルの各CEの時間周波数リソースの構成パターンであって、レベル2の専用チャネルの時間周波数リソースが第1のTTIに集中的に構成されるときに使用される構成パターンである。
【０３３２】
第4の構成パターンは、基準信号を送信するために使用される、レベル2の専用チャネルの各CEの時間周波数リソースの構成パターンであって、レベル2の専用チャネルの時間周波数リソースが第1のTTIに分散的に構成されるときに使用される構成パターンである。
【０３３３】
任意選択的に、通信システムは共通チャネルをさらに含む。共通チャネルは、専用チャネルの時間周波数リソースとは異なる時間周波数リソースを有する。共通チャネルは、通信システムのすべての端末デバイスによって検出される。プロセッサは、予め設定された第2の時間周波数リソースを使用して共通チャネルの指示情報を送信するように送信機を制御し、
共通チャネルを使用して共通メッセージを送信するように送信機を制御するか、または
共通チャネルを使用して、PDSCHの時間周波数リソースに属する第4の時間周波数リソースの指示情報を送信し、第4の時間周波数リソースを使用して共通メッセージを送信するように送信機を制御するようさらに構成される。
【０３３４】
共通メッセージは、ランダムアクセス応答メッセージ、ページングメッセージ、またはシステムメッセージのうちの少なくとも1つを含む。
【０３３５】
任意選択的に、共通チャネルは、共通拡張物理ダウンリンク制御チャネルEPDCCHである。
【０３３６】
任意選択的に、専用チャネルは専用EPDCCHである。
【０３３７】
任意選択的に、共通チャネルの時間周波数リソースは、同じ送信時間間隔TTIの最初のK個のシンボルを含み、K≧1である。
【０３３８】
任意選択的に、共通チャネルの時間周波数リソースは、同じTTIのM個のリソースブロックRBに属し、M≧1である。
【０３３９】
任意選択的に、共通チャネルの時間周波数リソースは、少なくとも2つのリソースブロックRBに属する。
【０３４０】
任意選択的に、共通チャネルの時間周波数リソースが属する少なくとも2つのRBは不連続である。
【０３４１】
任意選択的に、共通チャネルの時間周波数リソースが属する少なくとも2つのRBは連続的である。第1のRBに属する、共通チャネルの時間周波数リソースと、第2のRBに属する、共通チャネルの時間周波数リソースとは不連続である。
【０３４２】
任意選択的に、デバイス500は基地局であり、端末デバイスはユーザ機器である。
【０３４３】
本発明のこの実施形態では、プロセッサ510は、中央処理装置（Central Processing Unit、略して「CPU」）であってもよいし、あるいは、プロセッサ510は、別の汎用プロセッサ、デジタル信号プロセッサ（DSP）、特定用途向け集積回路（ASIC）、フィールド・プログラマブル・ゲート・アレイ（FPGA）、別のプログラマブル・ロジック・デバイス、ディスクリートゲート、トランジスタ・ロジック・デバイス、またはディスクリート・ハードウェア・コンポーネントなどであってもよいことを理解されたい。汎用プロセッサはマイクロプロセッサであってもよいし、プロセッサは任意の従来のプロセッサなどであってもよい。
【０３４４】
メモリ530は、読み出し専用メモリおよびランダム・アクセス・メモリを含んでもよく、またプロセッサ510に命令およびデータを提供してもよい。メモリ530の一部は、不揮発性ランダム・アクセス・メモリをさらに含んでもよい。例えば、メモリ530は、デバイスの種類に関する情報をさらに格納してもよい。
【０３４５】
データバスに加えて、バスシステム540は、電力バス、制御バス、および状態信号バスなどを含んでもよい。しかしながら、説明を明確にするために、様々なバスは、図ではバスシステム540として示されている。
【０３４６】
実施プロセスにおいて、上記の方法の各ステップは、プロセッサ510のハードウェアの集積ロジック回路またはソフトウェアの形態の命令を使用して完遂されてもよい。本発明の実施形態を参照して開示されている方法のステップは、ハードウェアプロセッサによって直接実行されて完遂されてもよいし、プロセッサにおけるハードウェアとソフトウェアモジュールの組み合わせを使用して実行されて完遂されてもよい。ソフトウェアモジュールは、ランダム・アクセス・メモリ、フラッシュメモリ、読み出し専用メモリ、プログラマブル読み出し専用メモリ、電気的消去可能プログラマブルメモリ、またはレジスタなどの、当技術分野の成熟した記憶媒体に配置されてもよい。記憶媒体は、メモリ530に配置される。プロセッサ510は、メモリ530内の情報を読み出し、プロセッサのハードウェアと共に上記の方法のステップを完遂する。繰り返しを避けるために、ここでは詳細は説明しない。
【０３４７】
本発明のこの実施形態によるスケジューリング情報送信デバイス500は、本発明の実施形態の方法におけるネットワークデバイスに対応し得る。さらに、情報送信デバイス500のすべてのユニット（すなわち、モジュール）ならびに上記の他の動作および／または機能は、図2の方法100の対応する手順を実施するために分かれている。簡潔にするために、ここでは詳細は説明しない。
【０３４８】
本発明のこの実施形態のスケジューリング情報送信デバイスは、少なくとも2つのレベルの専用チャネルを構成し、端末デバイスに対してリソーススケジューリングを行う必要があるときに、レベル1の専用チャネルの時間周波数リソースの指示情報を、システム情報を送信するために使用される第1の時間周波数リソースを使用して送信し、これにより、レベル2の専用チャネルの時間周波数リソースの指示情報が、レベル1の専用チャネルを使用して端末デバイスに送信され、端末デバイスの専用スケジューリング情報が、レベル2の専用チャネルを使用してさらに送信され得る。したがって、専用スケジューリング情報を送信するプロセスで、レベル1の専用チャネルの時間周波数リソースの指示情報が送信されるときにのみ、システム情報を送信するために使用される時間周波数リソースが占有され、端末デバイスがレベル1の専用チャネルの時間周波数リソースを知った後に、専用スケジューリング情報は、レベル1の専用チャネルおよびレベル2の専用チャネルを使用して任意の時点で配信され得る。したがって、スケジューリング情報送信の柔軟性を向上させることができ、システム性能およびユーザ体験を向上させることができる。
【０３４９】
さらに、共通チャネルが構成されるため、スケジューリング情報送信はもはや既存のPDCCHに依存せず、PDCCHの従来技術の構成を放棄することができる。したがって、リソース構成の柔軟性をさらに向上させることができる。
【０３５０】
図16は、本発明の一実施形態によるスケジューリング情報送信デバイス600の概略ブロック図である。図16に示すように、デバイス600は、プロセッサ610および受信機620を含む。プロセッサ610は、受信機620に接続されている。任意選択的に、デバイス600は、メモリ630をさらに含む。メモリ630は、プロセッサ610に接続されている。任意選択的に、デバイス600は、バスシステム640をさらに含む。プロセッサ610と、メモリ620と、受信機630とは、バスシステム640を使用して接続され得る。メモリ630は、命令を格納するように構成され得る。プロセッサ610は、情報または信号を送信するように受信機620を制御するために、メモリ630に格納された命令を実行するように構成される。デバイス600は、ダウンリンク制御に使用される少なくとも2つのレベルの専用チャネルを含む通信システムにおいて構成される。これらのレベルの専用チャネルは、異なる時間周波数リソースに対応する。専用チャネルは、専用チャネルが割り当てられた端末デバイスによってのみ検出される。
【０３５１】
プロセッサ610は、命令を実行して、ネットワークデバイスによって送信された、レベル1の専用チャネルの指示情報を、予め設定された第1の時間周波数リソースを使用して受信するように受信機620を制御し、
レベル1の専用チャネルの指示情報に従ってレベル1の専用チャネルを決定し、
ネットワークデバイスによって送信された、レベル2の専用チャネルの指示情報を、レベル1の専用チャネルを使用して受信するように受信機620を制御するか、または
物理ダウンリンクデータチャネルPDSCHの時間周波数リソースに属する第3の時間周波数リソースの、ネットワークデバイスによって送信された指示情報を、レベル1の専用チャネルを使用して受信し、ネットワークデバイスによって送信された、レベル2の専用チャネルの指示情報を、第3の時間周波数リソースを使用して受信するように受信機620を制御し、
レベル2の専用チャネルの指示情報に従ってレベル2の専用チャネルを決定し、
ネットワークデバイスによって送信された、ターゲット端末デバイスの専用スケジューリング情報を、レベル2の専用チャネルを使用して受信するように受信機620を制御する。
【０３５２】
任意選択的に、レベル1の専用チャネルの時間周波数リソースまたはレベル2の専用チャネルの時間周波数リソースは、同じ送信時間間隔TTIの最初のK個のシンボルを含み、K≧1である。
【０３５３】
任意選択的に、レベル1の専用チャネルの時間周波数リソースまたはレベル2の専用チャネルの時間周波数リソースは、同じTTIのM個のリソースブロックRBに属し、M≧1である。
【０３５４】
任意選択的に、レベル1の専用チャネルまたはレベル2の専用チャネルは、ターゲット端末デバイスによってアクセスされるサービスの遅延要求に従って、ネットワークデバイスによって割り当てられる。
【０３５５】
任意選択的に、レベル1の専用チャネルの時間周波数リソースは、少なくとも2つのリソースブロックRBに属する。
【０３５６】
任意選択的に、レベル1の専用チャネルの時間周波数リソースが属する少なくとも2つのRBは不連続である。
【０３５７】
任意選択的に、レベル1の専用チャネルの時間周波数リソースが属する少なくとも2つのRBは連続的である。第1のRBに属する、レベル1の専用チャネルの時間周波数リソースと、第2のRBに属する、レベル1の専用チャネルの時間周波数リソースとは不連続である。
【０３５８】
任意選択的に、周波数領域において、レベル1の専用チャネルの時間周波数リソースは、予め設定された帯域幅の2つの端に配置される。
【０３５９】
任意選択的に、レベル1の専用チャネルまたはレベル2の専用チャネルは、第1のTTIに少なくとも1つのチャネル要素CEを含む。
【０３６０】
任意選択的に、レベル1の専用チャネルの時間周波数リソースまたはレベル2の専用チャネルの時間周波数リソースは、第1のTTIにおいて集中的または分散的に構成される。
【０３６１】
分散構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの少なくとも2つのRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において不連続であることを意味する。
【０３６２】
集中構成は、レベル1の専用チャネルに割り当てられた、第1のTTIのRBがレベル1の専用チャネルのみを搬送するために使用されるときまたはレベル2の専用チャネルに割り当てられた、第1のTTIのRBがレベル2の専用チャネルのみを搬送するために使用されるときに、各CEの時間周波数リソースが第1のTTIの同じRBに属するか、または
レベル1の専用チャネルに割り当てられた、第1のTTIのRBがレベル1の専用チャネルおよび別のチャネルを搬送するために使用されるときまたはレベル2の専用チャネルに割り当てられた、第1のTTIのRBがレベル2の専用チャネルまたは別のチャネルを搬送するために使用されるときに、各CEに含まれるリソース要素REが周波数領域において連続的であることを意味する。
【０３６３】
任意選択的に、第1の構成パターンは、第2の構成パターンと同じである。
【０３６４】
第1の構成パターンは、基準信号を送信するために使用される、レベル1の専用チャネルの各CEの時間周波数リソースの構成パターンである。
【０３６５】
第2の構成パターンは、基準信号を送信するために使用される、レベル2の専用チャネルの各CEの時間周波数リソースの構成パターンである。
【０３６６】
任意選択的に、第3の構成パターンは、第4の構成パターンと異なる。
【０３６７】
第3の構成パターンは、基準信号を送信するために使用される、レベル2の専用チャネルの各CEの時間周波数リソースの構成パターンであって、レベル2の専用チャネルの時間周波数リソースが第1のTTIに集中的に構成されるときに使用される構成パターンである。
【０３６８】
第4の構成パターンは、基準信号を送信するために使用される、レベル2の専用チャネルの各CEの時間周波数リソースの構成パターンであって、レベル2の専用チャネルの時間周波数リソースが第1のTTIに分散的に構成されるときに使用される構成パターンである。
【０３６９】
任意選択的に、通信システムは共通チャネルをさらに含む。共通チャネルは、専用チャネルの時間周波数リソースとは異なる時間周波数リソースを有する。共通チャネルは、通信システムのすべての端末デバイスによって検出される。プロセッサは、ネットワークデバイスによって送信された、共通チャネルの指示情報を、予め設定された第2の時間周波数リソースを使用して受信するように受信機を制御し、
ネットワークデバイスによって送信された共通メッセージを、共通チャネルを使用して受信するように受信機を制御するか、または
PDSCHの時間周波数リソースに属する第4の時間周波数リソースの、ネットワークデバイスによって送信された指示情報を、共通チャネルを使用して受信し、ネットワークデバイスによって送信された共通メッセージを、第4の時間周波数リソースを使用して受信するように受信機を制御するようさらに構成される。
【０３７０】
共通メッセージは、ランダムアクセス応答メッセージ、ページングメッセージ、またはシステムメッセージのうちの少なくとも1つを含む。
【０３７１】
任意選択的に、共通チャネルは、共通拡張ダウンリンク制御チャネルEPDCCHである。
【０３７２】
任意選択的に、専用チャネルは専用EPDCCHである。
【０３７３】
任意選択的に、共通チャネルの時間周波数リソースは、同じ送信時間間隔TTIの最初のK個のシンボルを含み、K≧1である。
【０３７４】
任意選択的に、共通チャネルの時間周波数リソースは、同じTTIのM個のリソースブロックRBに属し、M≧1である。
【０３７５】
任意選択的に、共通チャネルの時間周波数リソースは、少なくとも2つのリソースブロックRBに属する。
【０３７６】
任意選択的に、共通チャネルの時間周波数リソースが属する少なくとも2つのRBは不連続である。
【０３７７】
任意選択的に、共通チャネルの時間周波数リソースが属する少なくとも2つのRBは連続的である。第1のRBに属する、共通チャネルの時間周波数リソースと、第2のRBに属する、共通チャネルの時間周波数リソースとは不連続である。
【０３７８】
任意選択的に、デバイス600はユーザ機器であり、ネットワークデバイスは基地局である。
【０３７９】
本発明のこの実施形態では、プロセッサ610は、中央処理装置（Central Processing Unit、略して「CPU」）であってもよいし、あるいは、プロセッサ610は、別の汎用プロセッサ、デジタル信号プロセッサ（DSP）、特定用途向け集積回路（ASIC）、フィールド・プログラマブル・ゲート・アレイ（FPGA）、別のプログラマブル・ロジック・デバイス、ディスクリートゲート、トランジスタ・ロジック・デバイス、またはディスクリート・ハードウェア・コンポーネントなどであってもよいことを理解されたい。汎用プロセッサはマイクロプロセッサであってもよいし、プロセッサは任意の従来のプロセッサなどであってもよい。
【０３８０】
メモリ630は、読み出し専用メモリおよびランダム・アクセス・メモリを含んでもよく、またプロセッサ710に命令およびデータを提供してもよい。メモリ630の一部は、不揮発性ランダム・アクセス・メモリをさらに含んでもよい。例えば、メモリ630は、デバイスの種類に関する情報をさらに格納してもよい。
【０３８１】
データバスに加えて、バスシステム640は、電力バス、制御バス、および状態信号バスなどを含んでもよい。しかしながら、説明を明確にするために、様々なバスは、図ではバスシステム640として示されている。
【０３８２】
実施プロセスにおいて、上記の方法の各ステップは、プロセッサ610のハードウェアの集積ロジック回路またはソフトウェアの形態の命令を使用して完遂されてもよい。本発明の実施形態を参照して開示されている方法のステップは、ハードウェアプロセッサによって直接実行されて完遂されてもよいし、プロセッサにおけるハードウェアとソフトウェアモジュールの組み合わせを使用して実行されて完遂されてもよい。ソフトウェアモジュールは、ランダム・アクセス・メモリ、フラッシュメモリ、読み出し専用メモリ、プログラマブル読み出し専用メモリ、電気的消去可能プログラマブルメモリ、またはレジスタなどの、当技術分野の成熟した記憶媒体に配置されてもよい。記憶媒体は、メモリ630に配置される。プロセッサ610は、メモリ630内の情報を読み出し、プロセッサのハードウェアと共に上記の方法のステップを完遂する。繰り返しを避けるために、ここでは詳細は説明しない。
【０３８３】
本発明のこの実施形態によるスケジューリング情報送信デバイス600は、本発明の実施形態の方法における端末デバイスに対応し得る。さらに、情報送信デバイス600のすべてのユニット（すなわち、モジュール）ならびに上記の他の動作および／または機能は、図12の方法200の対応する手順を実施するために分かれている。簡潔にするために、ここでは詳細は説明しない。
【０３８４】
本発明のこの実施形態のスケジューリング情報送信デバイスは、少なくとも2つのレベルの専用チャネルを構成し、端末デバイスに対してリソーススケジューリングを行う必要があるときに、レベル1の専用チャネルの時間周波数リソースの指示情報を、システム情報を送信するために使用される第1の時間周波数リソースを使用して送信し、これにより、レベル2の専用チャネルの時間周波数リソースの指示情報が、レベル1の専用チャネルを使用して端末デバイスに送信され、端末デバイスの専用スケジューリング情報が、レベル2の専用チャネルを使用してさらに送信され得る。したがって、専用スケジューリング情報を送信するプロセスで、レベル1の専用チャネルの時間周波数リソースの指示情報が送信されるときにのみ、システム情報を送信するために使用される時間周波数リソースが占有され、端末デバイスがレベル1の専用チャネルの時間周波数リソースを知った後に、専用スケジューリング情報は、レベル1の専用チャネルおよびレベル2の専用チャネルを使用して任意の時点で配信され得る。したがって、スケジューリング情報送信の柔軟性を向上させることができ、システム性能およびユーザ体験を向上させることができる。
【０３８５】
さらに、共通チャネルが構成されるため、スケジューリング情報送信はもはや既存のPDCCHに依存せず、PDCCHの従来技術の構成を放棄することができる。したがって、リソース構成の柔軟性をさらに向上させることができる。
【０３８６】
本発明の実施形態は上では「リソースブロック」に関連して詳細に説明されていることに留意されたい。本発明の実施形態において、「リソースブロック」は、リソース単位（英語完全名：Resource Unit、英語略語：RU）とも呼ばれ得る。言い換えれば、本発明の実施形態において、リソースブロックは、リソース単位の一種であり得る。
【０３８７】
すなわち、限定ではなく例として、本発明の実施形態では、リソース単位は、例えばリソースブロックであってもよい。さらに、本発明の実施形態では、リソースブロックは、時間周波数リソースブロックであってもよい。すなわち、上記の説明は、RBがリソース単位として使用される例を使用して行われている。
【０３８８】
本発明の実施形態では、リソース単位は、通信システムまたは通信プロトコルによって指定されるリソース割り当て単位、リソーススケジューリング単位、またはデータ送信単位であり得ることに留意されたい。限定ではなく例として、本発明の実施形態では、1つのリソース単位は、時間領域においてL個のシンボルを占有し、周波数領域においてN個のサブキャリアを占有し、L≧1であり、N≧1である。
【０３８９】
さらに、本発明の実施形態は、上では「TTI」に関連して詳細に説明されている。TTIは、基本的な送信時間単位（または送信期間長）である。すなわち、本発明の実施形態では、TTIは、1回の情報送信の時間単位（もしくは1回の情報送信の時間長）、1回の情報スケジューリングの時間単位（もしくは1回の情報スケジューリングの時間長）、またはサブフレーム長であり得る。
【０３９０】
本発明の実施形態において、時間単位は、1度の送信機会（例えば、スケジューリングまたは競合機構に基づいて得られる送信機会）に対応する送信期間であってもよいことに留意されたい。
【０３９１】
さらに、本発明の実施形態は、上では「チャネル要素」に関連して説明されている。チャネル要素は、制御チャネル要素（Control Channel Element、CCE）であってもよい。すなわち、本発明の実施形態では、レベル1の専用チャネル（具体的には、レベル1の専用チャネルの時間周波数リソース）またはレベル2の専用チャネル（具体的には、レベル2の専用チャネルの時間周波数リソース）は、制御チャネル要素CCEに基づいて分割され得る。言い換えれば、レベル1の専用チャネルは、1つのTTI（すなわち、第1のTTIの一例）に少なくとも1つのCCEを含むことができ、レベル2の専用チャネルは、1つのTTI（すなわち、第1のTTIの一例）に少なくとも1つのCCEを含むことができる。
【０３９２】
上記のプロセスの順序番号は、本発明の様々な実施形態における実行順序を意味するものではないことを理解されたい。プロセスの実行順序は、プロセスの機能および内部ロジックに従って決定されるべきであり、本発明の実施形態の実施プロセスへの制限として解釈されるべきではない。
【０３９３】
当業者であれば、この明細書に開示されている実施形態で説明された例との組み合わせにおいて、ユニットおよびアルゴリズムステップが、電子ハードウェアまたはコンピュータソフトウェアと電子ハードウェアとの組み合わせによって実施され得ることを認識し得る。機能がハードウェアとソフトウェアのどちらによって実行されるかは、技術的解決策の特定の用途および設計制約条件に依存する。当業者であれば、特定の用途ごとに、記載された機能を実施するためにさまざまな方法を使用することができるが、その実施は本発明の範囲を超えると考えられるべきではない。
【０３９４】
簡便かつ簡単な説明のために、上記のシステム、装置、およびユニットの詳細な動作プロセスについては、上記の方法の実施形態における対応するプロセスを参照することとし、ここでは詳細が再度説明されていないことが、当業者によって明確に理解され得る。
【０３９５】
本出願で提供されるいくつかの実施形態において、開示されたシステム、装置、および方法が、他の方法で実施され得ることを理解されたい。例えば、説明した装置の実施形態は、一例に過ぎない。例えば、ユニットの分割は、論理的な機能の分割に過ぎず、実際の実施では他の分割であってもよい。例えば、複数のユニットまたはコンポーネントが、別のシステムとして組み合わされるか、もしくは統合されてもよいし、一部の特徴が、無視されるか、もしくは実行されなくてもよい。さらに、提示したまたは述べた相互結合または直接的な結合もしくは通信接続は、いくつかのインタフェースを使用して実施されてもよい。装置またはユニット間の間接的な結合または通信接続は、電子的な、機械的な、または他の形態で実施されてもよい。
【０３９６】
別々の部分として説明されているユニットは、物理的に別々であってもなくてもよく、ユニットとして提示されている部分は、物理的なユニットであってもなくてもよく、1つの位置に配置されても、複数のネットワークユニットに分散されてもよい。ユニットの一部または全部は、実施形態の解決策の目的を達成するために実際の必要に応じて選択されてもよい。
【０３９７】
さらに、本発明の実施形態における機能ユニットは、1つの処理ユニットに統合されてもよいし、これらのユニットの各々は、物理的に単独で存在してもよいし、2つ以上のユニットが、1つのユニットに統合される。
【０３９８】
機能が、ソフトウェア機能ユニットの形態で実施され、独立した製品として販売または使用される場合、機能は、コンピュータ可読記憶媒体に格納されてもよい。こうした理解に基づいて、本質的に、本発明の技術的解決策、または従来技術に寄与する部分、または技術的解決策一部は、ソフトウェア製品の形態で実施されてもよい。ソフトウェア製品は、記憶媒体に格納され、コンピュータデバイス（パーソナルコンピュータ、サーバ、またはネットワークデバイスであってもよい）に、本発明の実施形態で説明した方法のステップの全部または一部を実行するように命令するためのいくつかの命令を含む。上記の記憶媒体は、プログラムコードを格納することができる任意の媒体（USBフラッシュドライブ、リムーバブル・ハード・ディスク、読み出し専用メモリ（ROM、Read−Only Memory）、ランダム・アクセス・メモリ（RAM、Random Access Memory）、磁気ディスク、または光ディスクなど）を含む。
【０３９９】
上記の説明は、本発明の特定の実施態様に過ぎず、本発明の保護範囲を限定するものではない。本発明で開示された技術的範囲内で当業者に容易に想到される変形例または置換例は、本発明の保護範囲に含まれるものとする。したがって、本発明の保護範囲は、特許請求の範囲の保護範囲に従うものとする。
【符号の説明】
【０４００】
100  スケジューリング情報送信装置
200  情報送信方法
300  スケジューリング情報送信装置
310  割当ユニット
320  送信ユニット
400  スケジューリング情報送信装置
410  受信ユニット
420  決定ユニット
500  スケジューリング情報送信デバイス
510  プロセッサ
520  送信機
530  メモリ
540  バスシステム
600  スケジューリング情報送信デバイス
610  プロセッサ
620  受信機
630  メモリ
640  バスシステム
710  プロセッサ
【図１】
0006720304.tif 000002
【図２】
0006720304.tif 000003
【図３】
0006720304.tif 000004
【図４】
0006720304.tif 000005
【図５】
0006720304.tif 000006
【図６】
0006720304.tif 000007
【図７】
0006720304.tif 000008
【図８】
0006720304.tif 000009
【図９】
0006720304.tif 000010
【図１０】
0006720304.tif 000011
【図１１】
0006720304.tif 000012
【図１２】
0006720304.tif 000013
【図１３】
0006720304.tif 000014
【図１４】
0006720304.tif 000015
【図１５】
0006720304.tif 000016
【図１６】
0006720304.tif 000017